(57)【要約】【課題】光パケットの時分割多重送信においてチルト補正を行うこと。【解決手段】光伝送システムは、送信部１１及びオフセット部１２を有する送信側光伝送装置１と、受信部１６、測定部１７及び通知部１８を有する受信側光伝送装置２と、を備える。送信部１１は、所定の数の異なる波長の光信号を送信する。オフセット部１２は、送信部１１から送信される光信号にチルトに関する所定のオフセットをかける。受信部１６は、送信部１１から送信された光信号を受信する。測定部１７は、受信部１６で受信可能な光信号の数を測定する。通知部１８は、測定部１７で測定された光信号の数を通知する。オフセット部１２は、通知部１８から通知された光信号の数が増えたらオフセットを大きくする方向に調節し、通知部１８から通知された光信号の数が減ったらオフセットを小さくする方向に調節する。【選択図】図１
2014236448.tif 000002
【特許請求の範囲】
【請求項１】
所定の数の異なる波長の光信号を送信する送信部と、
前記送信部から送信される前記光信号にチルトに関する所定のオフセットをかけるオフセット部と、
を有する送信側光伝送装置と、
前記送信部から送信された前記光信号を受信する受信部と、
前記受信部で受信可能な前記光信号の数を測定する測定部と、
前記測定部で測定された前記光信号の数を通知する通知部と、
を有する受信側光伝送装置と、
を備え、
前記オフセット部は、前記通知部から通知された前記光信号の数が増えたら前記オフセットを大きくする方向に調節し、前記通知部から通知された前記光信号の数が減ったら前記オフセットを小さくする方向に調節することを特徴とする光伝送システム。
【請求項２】
前記オフセット部は、前記送信部から送信された前記光信号の数と前記通知部から通知された前記光信号の数とが一致するまで前記オフセットを調節することを特徴とする請求項１に記載の光伝送システム。
【請求項３】
前記通知部は、前記測定部で測定された前記光信号の数を光の点滅によって通知することを特徴とする請求項１または２に記載の光伝送システム。
【請求項４】
前記通知部は、前記測定部で測定された前記光信号の数を、前記受信部で受信された前記光信号の受信レベルを用いて通知することを特徴とする請求項１または２に記載の光伝送システム。
【請求項５】
所定の数の異なる波長の光信号を送信する送信部と、
前記送信部から送信される前記光信号にチルトに関する所定のオフセットをかけるオフセット部と、を備え、
前記オフセット部は、前記送信部から送信された前記光信号に対して、受信側で受信可能な前記光信号の数が増えたら前記オフセットを大きくする方向に調節し、受信側で受信可能な前記光信号の数が減ったら前記オフセットを小さくする方向に調節することを特徴とする光伝送装置。
【請求項６】
送信側光伝送装置は、チルトに関する所定のオフセットをかけて所定の数の異なる波長の光信号を送信し、
受信側光伝送装置は、前記光信号を受信し、受信可能な前記光信号の数を測定し、測定した前記光信号の数を前記送信側光伝送装置へ通知し、
前記送信側光伝送装置は、通知された前記光信号の数が増えたら前記オフセットを大きくする方向に調節し、通知された前記光信号の数が減ったら前記オフセットを小さくする方向に調節することを特徴とする光伝送方法。
【発明の詳細な説明】
【技術分野】
【０００１】
この発明は、光伝送システム、光伝送装置及び光伝送方法に関する。
【背景技術】
【０００２】
従来、光信号を伝送する技術において、波長の異なる複数の光信号を１本の光ファイバケーブルに多重させる通信方式として、ＷＤＭ（Ｗａｖｅｌｅｎｇｔｈ  Ｄｉｖｉｓｉｏｎ  Ｍｕｌｔｉｐｌｅｘ、波長分割多重）方式がある。ＷＤＭ方式では、光伝送装置は、波長ごとに異なる送信先に、光信号を送信することができるが、光信号を中継する光伝送装置において光出力レベルの増幅が行われる場合、光信号の経路によっては、中継回数や伝送距離が異なることがある。この場合、波長間における光出力レベルのばらつき（以下、「チルト」と記す。）が発生することとなる。その結果、受信側の光伝送装置において、チルトが、受信可能な光信号の出力レベルの範囲（ダイナミックレンジ）に収まらないことがある。そこで、光伝送装置は、チルトを低減するため、光信号を中継する際、出力レベルを波長ごとにモニタリングし、その結果を信号制御にフィードバックして、光出力レベルの均等化を図る。
【０００３】
また、複数の光パケットを波長多重して送信する光通信方式において、各波長帯域に割り当てられた光パケットのスキュー量に基づいて、各波長帯域に割り当てられる光パケットの遅延量を調整する技術が開示されている（例えば、特許文献１参照）。また、波長多重通信方式において、受信側の光信号対雑音比の測定結果に基づいて送信側のプリエンファシス量を設定する技術が開示されている（例えば、特許文献２、特許文献３参照）。また、各子局での受信レベルに基づいて親局から各子局へ送信する光バースト信号の送信レベルを調整する技術が開示されている（例えば、特許文献４参照）。
【先行技術文献】
【特許文献】
【０００４】
【特許文献１】特開２００８−２１９１６６号公報
【特許文献２】特開平８−３２１８２４号公報
【特許文献３】特開平１１−３３１１２７号公報
【特許文献４】特開平１１−１３６１９２号公報
【発明の概要】
【発明が解決しようとする課題】
【０００５】
上述のフィードバック制御は、波長ごとに異なる送信先に光信号を送信する通信においては有効である。しかしながら、同一パケットを異なる波長の複数の光信号で送信する光パケットの時分割多重送信では、光パケット信号が連続した信号ではないため、受信側で光信号対雑音比を測定することができない。そのため、上述のフィードバック制御が効かず、波長間の受信レベルに傾斜が生じることがあり、その場合、送信側でその傾斜に対する補正（チルト補正）を行うことができないという問題点がある。チルト補正を行うことができないと、波長間の受信レベルに傾斜が生じ、波長によっては受信レベルが受信側のダイナミックレンジに納まらない場合がある。受信レベルが受信側のダイナミックレンジに納まらないと受信不能となってしまうため、一つでも受信レベルが受信側のダイナミックレンジに納まらない波長が生じると、パケットロスの要因となる。
【０００６】
光パケットの時分割多重送信においてチルト補正を行うことができる光伝送システム、光伝送装置及び光伝送方法を提供することを目的とする。
【課題を解決するための手段】
【０００７】
光伝送システムは、送信部及びオフセット部を有する送信側光伝送装置と、受信部、測定部及び通知部を有する受信側光伝送装置と、を備える。送信部は、所定の数の異なる波長の光信号を送信する。オフセット部は、送信部から送信される光信号にチルトに関する所定のオフセットをかける。受信部は、送信部から送信された光信号を受信する。測定部は、受信部で受信可能な光信号の数を測定する。通知部は、測定部で測定された光信号の数を通知する。オフセット部は、通知部から通知された光信号の数が増えたらオフセットを大きくする方向に調節し、通知部から通知された光信号の数が減ったらオフセットを小さくする方向に調節する。
【発明の効果】
【０００８】
この光伝送システム、光伝送装置及び光伝送方法によれば、光パケットの時分割多重送信においてチルト補正を行うことができるという効果を奏する。
【図面の簡単な説明】
【０００９】
【図１】図１は、実施の形態にかかる光伝送システム及び光伝送装置の第１の例を示す図である。
【図２】図２は、図１に示す光伝送システム及び光伝送装置における信号の流れの一例を示す図である。
【図３】図３は、図１に示す光伝送装置におけるオフセット部を実現するハードウェア構成の一例を示す図である。
【図４】図４は、実施の形態にかかる光伝送方法の一例を示す図である。
【図５】図５は、実施の形態にかかる光伝送システムの第２の例を示す図である。
【図６】図６は、光伝送装置がパケットを伝送する様子を説明する図である。
【図７】図７は、チルトが累積する様子を示す図である。
【図８】図８は、送信側でかけたチルトに関するオフセットが相殺される様子を示す図である。
【図９】図９は、実施の形態にかかる光伝送装置の第２の例を示す図である。
【図１０】図１０は、各波長のレベルの情報が書き込まれたテストパケットの一例を示す図である。
【図１１】図１１は、実施の形態にかかる光伝送装置におけるチルトに関するオフセットの調節手順の第１の例を示す図である。
【図１２】図１２は、図１１の続きを示す図である。
【図１３】図１３は、チルトに関するオフセットの調節手順の第１の具体例を示す図である。
【図１４】図１４は、図１３の続きを示す図である。
【図１５】図１５は、チルトに関するオフセットの調節手順の第２の具体例を示す図である。
【図１６】図１６は、図１５の続きを示す図である。
【図１７】図１７は、図１６の続きを示す図である。
【図１８】図１８は、実施の形態にかかる光伝送装置の第３の例を示す図である。
【図１９】図１９は、各波長のレベルの情報が書き込まれたフレームの一例を示す図である。
【図２０】図２０は、実施の形態にかかる光伝送装置におけるチルトに関するオフセットの調節手順の第２の例を示す図である。
【図２１】図２１は、チルトに関するオフセットの調節手順の第３の具体例を示す図である。
【図２２】図２２は、図２１の続きを示す図である。
【発明を実施するための形態】
【００１０】
以下に添付図面を参照して、この光伝送システム、光伝送装置及び光伝送方法の好適な実施の形態を詳細に説明する。以下の各実施例の説明においては、同様の構成要素には同一の符号を付して、重複する説明を省略する。
【００１１】
・光伝送システム及び光伝送装置の第１の例
図１は、実施の形態にかかる光伝送システム及び光伝送装置の第１の例を示す図である。図２は、図１に示す光伝送システム及び光伝送装置における信号の流れの一例を示す図である。図１及び図２に示すように、光伝送システムは送信側光伝送装置１、受信側光伝送装置２及び光伝送路３を有する。光伝送路３中に、光信号の中継及び増幅を行う図示省略する光中継装置が接続されていてもよい。光ファイバーは光伝送路３の一例である。
【００１２】
送信側光伝送装置１は送信部１１及びオフセット部１２を有する。送信部１１は、所定の数の異なる波長λ1，…，λnの光信号を受信側光伝送装置２へ送信する。ｎは、２以上の整数である。オフセット部１２は送信部１１に接続されている。オフセット部１２は、送信部１１から送信される光信号にチルトに関する所定のオフセットをかける。
【００１３】
オフセット部１２は、受信側光伝送装置２から通知される光信号の数が増えたらオフセットを大きくする方向に調節する。オフセット部１２は、受信側光伝送装置２から通知される光信号の数が減ったらオフセットを小さくする方向に調節する。受信側光伝送装置２から通知される光信号の数に基づいてオフセットを調節する処理を実現するプログラムをプロセッサが実行することによって、オフセット部１２が実現されてもよい。
【００１４】
受信側光伝送装置２は受信部１６、測定部１７及び通知部１８を有する。受信部１６は光伝送路３を介して送信側光伝送装置１の送信部１１に接続されている。受信部１６は、送信側光伝送装置１の送信部１１から送信された光信号を受信する。測定部１７は受信部１６に接続されている。測定部１７は、受信部１６で受信された光信号に基づいて、受信部１６で受信可能な光信号の数を測定する。
【００１５】
通知部１８は測定部１７に接続されている。通知部１８は、測定部１７で測定された光信号の数を送信側光伝送装置１へ通知する。通知部１８は、光伝送路４に接続されており、測定部１７で測定された光信号の数を、この光伝送路４を介して光信号によって送信側光伝送装置１へ通知してもよい。光ファイバーは光伝送路４の一例である。
【００１６】
プロセッサがプログラムを実行することによってオフセット部１２が実現される場合のハードウェア構成について説明する。
【００１７】
図３は、図１に示す光伝送装置におけるオフセット部を実現するハードウェア構成の一例を示す図である。図３に示すように、オフセット部１２を実現するハードウェアは、例えばプロセッサ２１、インタフェース２２、不揮発性メモリ２３及び揮発性メモリ２４を有する。プロセッサ２１、インタフェース２２、不揮発性メモリ２３及び揮発性メモリ２４はバス２５に接続されていてもよい。
【００１８】
プロセッサ２１は、受信側光伝送装置２から通知される光信号の数に基づいてオフセットを調節する処理を実現するプログラムを処理する。それによって、図１に示すオフセット部１２が実現される。プロセッサ２１の一例として、例えばＣＰＵ（Ｃｅｎｔｒａｌ  Ｐｒｏｃｅｓｓｉｎｇ  Ｕｎｉｔ、中央処理装置）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ、エーシック）、またはＦＰＧＡ（Ｆｉｅｌｄ  Ｐｒｏｇｒａｍｍａｂｌｅ  Ｇａｔｅ  Ａｒｒａｙ、フィールドプログラマブルゲートアレイ）などのプログラマブルロジックデバイス、またはそれらの組み合わせが挙げられる。
【００１９】
不揮発性メモリ２３は、ブートプログラムや、受信側光伝送装置２から通知される光信号の数に基づいてオフセットを調節する処理を実現するプログラムを記憶している。不揮発性メモリ２３は、受信側光伝送装置２から通知される光信号の数に基づいてオフセットを調節する処理を実現するプログラムの実行により得られる最適なオフセットの情報を記憶してもよい。また、プロセッサ２１がプログラマブルロジックデバイスである場合には、不揮発性メモリ２３はプログラマブルロジックデバイスの回路情報を記憶していてもよい。
【００２０】
不揮発性メモリ２３の一例として、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ、イーイーピーロム）またはフラッシュメモリなどの書き換え可能なＲＯＭ（Ｒｅａｄ  Ｏｎｌｙ  Ｍｅｍｏｒｙ、ロム）が挙げられる。あるいは、不揮発性メモリ２３の一例として、これらの書き換え可能なＲＯＭとマスクＲＯＭ（マスクロム）との組み合わせが挙げられる。
【００２１】
書き換え可能なＲＯＭとマスクＲＯＭ（マスクロム）とを有する場合、ブートプログラムや、受信側光伝送装置２から通知される光信号の数に基づいてオフセットを調節する処理を実現するプログラムは、マスクＲＯＭに記憶されていてもよい。そして、受信側光伝送装置２から通知される光信号の数に基づいてオフセットを調節する処理を実現するプログラムの実行により得られる最適なオフセットの情報は、書き換え可能なＲＯＭに記憶されてもよい。
【００２２】
揮発性メモリ２４はプロセッサ２１の作業領域として用いられる。揮発性メモリ２４は、不揮発性メモリ２３から読み出されたプログラムや回路情報や最適なオフセットの情報を保持する。揮発性メモリ２４の一例としてＤＲＡＭ（Ｄｙｎａｍｉｃ  Ｒａｎｄｏｍ  Ａｃｃｅｓｓ  Ｍｅｍｏｒｙ、ディーラム）やＳＲＡＭ（Ｓｔａｔｉｃ  Ｒａｎｄｏｍ  Ａｃｃｅｓｓ  Ｍｅｍｏｒｙ、エスラム）などのＲＡＭ（Ｒａｎｄｏｍ  Ａｃｃｅｓｓ  Ｍｅｍｏｒｙ、ラム）が挙げられる。
【００２３】
インタフェース２２は、受信側光伝送装置２から通知される光信号の数の情報の入力、及びオフセットの情報の出力を司る。
【００２４】
・光伝送方法の一例
図４は、実施の形態にかかる光伝送方法の一例を示す図である。図４に示す光伝送方法は、上述した図１に示す光伝送システムにおいて実施されてもよい。本実施例では、図４に示す光伝送方法が図１に示す光伝送システムにおいて実施されるとして説明する。
【００２５】
送信側光伝送装置１は、オフセット部１２により、送信部１１から送信される所定の数の異なる波長の光信号に対してチルトに関する所定のオフセットをかける。そして、送信側光伝送装置１は、送信部１１により、所定の数の異なる波長の光信号を送信する（ステップＳ１）。
【００２６】
受信側光伝送装置２は、受信部１６により、送信側光伝送装置１から送信された光信号を受信する。受信側光伝送装置２は、測定部１７により、受信可能な光信号の数を測定する。そして、受信側光伝送装置２は、測定部１７によって測定された光信号の数を、通知部１８により送信側光伝送装置１へ通知する（ステップＳ２）。
【００２７】
送信側光伝送装置１は、受信側光伝送装置２から通知された光信号の数を受信し、受信側光伝送装置２から通知された光信号の数が増えたか否かを判断する（ステップＳ３）。受信側光伝送装置２から通知された光信号の数が増えた場合（ステップＳ３：Ｙｅｓ）、送信側光伝送装置１は、オフセット部１２により、送信部１１から送信される所定の数の異なる波長の光信号に対するオフセットを大きくする方向に調節する（ステップＳ４）。そして、ステップＳ１に戻り、送信側光伝送装置１は、再びオフセットをかけて所定の数の異なる波長の光信号を送信する。
【００２８】
一方、受信側光伝送装置２から通知された光信号の数が減った場合（ステップＳ３：Ｎｏ）、送信側光伝送装置１は、オフセット部１２により、送信部１１から送信される所定の数の異なる波長の光信号に対するオフセットを小さくする方向に調節する（ステップＳ５）。そして、ステップＳ１に戻り、送信側光伝送装置１は、再びオフセットをかけて所定の数の異なる波長の光信号を送信する。
【００２９】
以上のステップＳ１〜ステップＳ５を繰り返すことによって、受信側光伝送装置２におけるチルト量が最適になるようにオフセットが調節される。チルト量が最適になるようにオフセットが調節されると、例えば、受信側光伝送装置２で受信可能な光信号の数が、送信側光伝送装置１が送信した光信号の波長数と一致する。
【００３０】
図１に示す光伝送システム及び光伝送装置、または図４に示す光伝送方法によれば、送信側光伝送装置１において、送信側光伝送装置１が送信した所定の数の異なる波長の光信号のうち、受信側光伝送装置２で受信可能な光信号の数に基づいて、チルトに関するオフセットが調節される。例えば、送信側光伝送装置１において、受信側光伝送装置２で受信可能な光信号の数が、送信側光伝送装置１が送信した光信号の波長数と一致するように、オフセットが調節される。従って、送信側光伝送装置１が送信する複数の異なる波長の光信号を全て受信側光伝送装置２が受信することができるように、送信側光伝送装置１においてチルト補正を行うことができる。
【００３１】
図１に示す光伝送システムまたは図４に示す光伝送方法は、光パケットの時分割多重送信システム及び方法に適用することができる。以下に、図１に示す光伝送システムまたは図４に示す光伝送方法を光パケットの時分割多重送信システム及び方法に適用する場合について説明する。
【００３２】
・光伝送システムの第２の例
図５は、実施の形態にかかる光伝送システムの第２の例を示す図である。図５に示すように、光パケットの時分割多重送信システムでは、複数、図示例では例えばＡ〜Ｆの６個の光伝送装置３１〜３６及び監視用端末３７がＷＤＭリングネットワーク３８に接続されている。
【００３３】
光伝送装置３１〜３６は、それぞれに接続される図示しないクライアント端末から渡されるパケットを複数の電気信号のパケット信号に分解し、それら複数のパケット信号を波長の異なる複数の光信号に割り当ててＷＤＭリングネットワーク３８へ送信する。各光伝送装置３１〜３６は送信側光伝送装置の一例である。
【００３４】
光伝送装置３１〜３６は、ＷＤＭリングネットワーク３８から波長の異なる複数の光信号を受信して電気信号に変換し、各光信号に割り当てられている複数のパケット信号から元のパケットを組み立てて、それぞれに接続される図示しないクライアント端末へ渡す。各光伝送装置３１〜３６は受信側光伝送装置の一例である。
【００３５】
光伝送装置Ａ３１から光伝送装置Ｂ３２へ宛てて送信されたパケットの各光信号は、ＷＤＭリングネットワーク３８を経由して光伝送装置Ｂ３２へ到達する。また、光伝送装置３１〜３６は、他の光伝送装置３１〜３６から他の光伝送装置３１〜３６へ宛てて送信されたパケットの各光信号を中継する光中継装置となる。光伝送装置３１〜３６は、光中継装置として動作する場合、ＷＤＭリングネットワーク３８から受信した光信号を、内蔵する図示省略する光スイッチで折り返し、内蔵する図示省略するアンプで増幅してＷＤＭリングネットワーク３８へ送信する。
【００３６】
例えば、光伝送装置Ａ３１から光伝送装置Ｃ３３へ宛てて送信されたパケットの各光信号は、ＷＤＭリングネットワーク３８、光伝送装置Ｂ３２及びＷＤＭリングネットワーク３８を経由して光伝送装置Ｃ３３へ到達することがある。光伝送装置Ａ３１から光伝送装置Ｄ３４へ宛てて送信されたパケットの各光信号は、ＷＤＭリングネットワーク３８、光伝送装置Ｂ３２、ＷＤＭリングネットワーク３８、光伝送装置Ｃ３３及びＷＤＭリングネットワーク３８を経由して光伝送装置Ｄ３４へ到達することがある。
【００３７】
監視用端末３７は光伝送装置３１〜３６を監視する。例えば後述するチルトに関するオフセットの調節を行う保守モードにおいて、監視用端末３７は、オフセットの調節対象となる送信側光伝送装置と受信側光伝送装置とを、光信号の送信及び受信が可能な動作状態とし、その間の光伝送装置を光信号の増幅及び中継を行う動作状態とする。その他の光伝送装置は、監視用端末３７によって動作停止状態とされる。つまり、チルトに関するオフセットの調節を行う保守モードにおいては、監視用端末３７によって、オフセットの調節対象となる送信側光伝送装置と受信側光伝送装置とがＷＤＭリングネットワーク３８を占有する状態となる。
【００３８】
保守モードにおいて、監視用端末３７は、各光伝送装置３１〜３６でＬＯＬ（Ｌｏｓｓ  Ｏｆ  Ｌｉｇｈｔ、ロスオブライト）またはＬＯＳ（Ｌｏｓｓ  Ｏｆ  Ｓｉｇｎａｌ、ロスオブシグナル）が発生しているか否かを監視する。監視用端末３７は、測定対象の光伝送装置からテストパケットを送信させ、受信側の各光伝送装置がテストパケットを受信することによって、ＬＯＬまたはＬＯＳが発生していないことを確認することができる。チルトに関するオフセットの調節を行う保守モードは、例えば光伝送システムの構築時、または運用中の光伝送システムにおいて光伝送装置や波長数を増減させる場合などに実施される。
【００３９】
図６は、光伝送装置がパケットを伝送する様子を説明する図である。図６に示すように、パケットＰ１は例えば１０個の光信号Ｔ１〜Ｔ１０から構成されるとする。クライアント端末Ｇ４１から送信されたパケットＰ１（図６の斜線で示す部分）は、例えば４個の信号群（図６のドットで示す部分）に分解されるとする。４個の信号群は、光電変換されて、複数の波長λ1〜λ4のうち、対応する波長でＷＤＭリングネットワーク側に出力される。そして、受信側では、４個の信号群は、再び統合され、１つのパケットとして受信されることとなる。クライアント端末Ｈ４２から送信されたパケットＰ２、クライアント端末Ｉ４３から送信されたパケットＰ３、及びクライアント端末Ｊ４４から送信されたパケットＰ４についても同様に、それぞれ複数の信号に分解された後、複数の波長の光信号で伝送される。
【００４０】
以下、光伝送装置による上述のような伝送方式を「光バースト伝送」と記す。光バースト伝送でない場合、光信号Ｔ１〜Ｔ１０が、直列的かつ連続的に送信されることから、パケットの入力時から、各波長λ1〜λ4の回線が開放されるまでの時間が長くなる。その結果、各クライアント端末４１〜４４によるネットワーク回線の専有時間が長くなることがある。これに対して、光バースト伝送では、図６に示すように、各波長λ1〜λ4ごとに並列的に、光信号Ｔ１〜Ｔ１０が送信される。従って、１パケット当たりの伝送時間は、最大でも３つの信号（パケットＰ１であれば光信号Ｔ１、Ｔ５及びＴ９）の伝送が完了するまでの時間ｔ1〜ｔ4（パケットＰ１であれば時間ｔ1）となる。その結果、回線専有時間は大幅に減少する。
【００４１】
上述したように、光伝送装置３１〜３６は、光中継装置として動作して、他の光伝送装置３１〜３６から他の光伝送装置３１〜３６へ宛てて送信されたパケットの各光信号を中継する。中継の際に、光伝送装置３１〜３６に内蔵されている線形アンプにより波長間にチルトが発生する。このチルトは、中継する光伝送装置３１〜３６を経由するたびに発生し、累積されていく。
【００４２】
図７は、送信側でチルトに関するオフセットをかけないで光信号を送信する場合にチルトが累積する様子を示す図である。図７に示すように、時刻ｔ5では、光バースト伝送により例えば光伝送装置Ａ３１から送信されるパケットの各光信号は、出力レベルが波長ごとに等しい状態（チルト０の状態）にある。ところが、パケットの各光信号が例えば光伝送装置Ｂ３２を通過するのに伴い、時刻ｔ6では、線形アンプの影響によりチルトが発生するため、各光信号の出力レベルは、時間ｔの正方向に向かう程、低下する。その結果、減衰率の高い長波長の光信号の出力レベル（右側）は、図７中下方向に傾く。また、時刻ｔ7では、パケットの各光信号が例えば光伝送装置Ｃ３３を中継することによって上記チルトの累積が発生し、光信号の波長ごとの出力レベルに更なるばらつき（図７の破線で囲まれた部分）が生じる。従って、受信側においてパケットを正常に受信するためには、通常（例えば、−２０ｄＢｍ〜＋４ｄＢｍ）よりも広範囲のダイナミックレンジが必要となる。
【００４３】
それに対して、本実施例のように送信側でチルトに関するオフセットをかけて光信号を送信する場合には、光信号が光伝送装置を通過する際に発生するチルトによって、送信側でかけたオフセットが相殺されていく。
【００４４】
図８は、送信側でかけたチルトに関するオフセットが相殺される様子を示す図である。図８に示すように、時刻ｔ8では、光バースト伝送により例えば光伝送装置Ａ３１から送信されるパケットの各光信号は、宛先までの各波長のチルト量に応じたオフセットがかけられた光出力レベルで送信される。時刻ｔ8においてチルトが“０”であったパケットの各光信号は、例えば光伝送装置Ｂ３２の通過に伴って発生するチルトの影響により、時刻ｔ9に示す状態となる。この時点では、チルトの発生により、光信号の出力レベルは時間ｔの正方向に向かうに連れて低下する。しかし、光信号の出力レベルには、例えば光伝送装置Ａ３１において予めオフセットがかけられているため、チルトの影響は、オフセットがかけられていない場合と比較して限定的である。そして、時刻ｔ10では、パケットの各光信号が例えば光伝送装置Ｃ３３を中継することによって上記チルトの累積が発生するが、線形アンプによる光信号の波長に応じた増幅により、チルトに起因する出力レベルのばらつき（図８の破線で囲まれた部分）は相殺される。従って、受信側においては、パケットの各光信号の出力レベルが略一致することから、各波長のレベルは一定となる。その結果、受信側の光伝送装置は、必要最小限のダイナミックレンジによってパケットを正常に受信することが可能となる。
【００４５】
・光伝送装置の第２の例
図９は、実施の形態にかかる光伝送装置の第２の例を示す図である。図９に示す光伝送装置は、図５に示す光伝送システムにおける各光伝送装置３１〜３６の一例であってもよい。本実施例では、図９に示す光伝送装置が図５に示す光伝送システムにおける光伝送装置Ａ３１であるとして説明する。光伝送装置３２〜３６については、光伝送装置Ａ３１と同様であるため、説明を省略する。チルトに関するオフセットの調節を行う保守モードにおいて、各光伝送装置３１〜３６は送信側光伝送装置にもなり得るし、受信側光伝送装置にもなり得る。
【００４６】
図９に示すように、光伝送装置Ａ３１は、挿入部５１、抽出部５２、確認部５３、分解部５４、組立部５５、テーブル５６、チルト制御部５７、書込部５８、点滅制御部５９、判断部６０、アンプ制御部６１、カウント部６２及びＡＤＣ（Ａｎａｌｏｇ−ｔｏ−Ｄｉｇｉｔａｌ  Ｃｏｎｖｅｒｔｅｒ、アナログデジタルコンバータ）６３を有する。光伝送装置Ａ３１は、光変調器６４〜６７、アンプ６８〜７１、ＰＤ（Ｐｈｏｔｏｄｉｏｄｅ、フォトダイオード）７２〜７５、光スイッチ７６、多重分離部７７及び増幅部７８を有する。光変調器６４〜６７は、それぞれＥ／Ｏコンバータ７９〜８２及びＯ／Ｅコンバータ８３〜８６を有する。多重分離部７７は多重部８７及び分離部８８を有する。増幅部７８はポストアンプ８９及びプリアンプ９０を有する。
【００４７】
これ以降、光伝送装置Ａ３１が送信側光伝送装置となる場合を「送信側装置の場合」と略記し、光伝送装置Ａ３１が受信側光伝送装置となる場合を「受信側装置の場合」と略記することがある。伝送装置Ａ３１が送信側光伝送装置となる場合と受信側光伝送装置となる場合とで分けて説明する必要がない場合には、特に何も記さない。
【００４８】
挿入部５１は判断部６０に接続されている。送信側装置の場合、挿入部５１はテストパケットを連続して確認部５３へ出力する。受信側装置の場合、挿入部５１は、判断部６０から通知される各波長のレベルの情報を書き込んだテストパケットを確認部５３へ出力する。各波長のレベルの情報が書き込まれたテストパケットの一例を図１０に示す。
【００４９】
確認部５３は挿入部５１及び図示しないクライアント端末に接続されている。確認部５３は、挿入部５１から出力されるテストパケットの送付先を確認する。確認部５３は、テストパケットの送付先の情報をテーブル５６へ通知し、テストパケットを分解部５４へ出力する。通常の動作モードにおいては、確認部５３は、クライアント端末から入力されるパケットの送付先を確認し、パケットの送付先の情報をテーブル５６へ通知し、パケットを分解部５４へ出力する。
【００５０】
テーブル５６は確認部５３及び書込部５８に接続されている。テーブル５６には、パケットの送付先に応じたオフセットが格納される。テーブル５６は、確認部５３から通知される送付先に応じたオフセットの情報をアンプ制御部６１へ通知する。
【００５１】
書込部５８は判断部６０に接続されている。送信側装置の場合、書込部５８は、判断部６０から書き込み指示を受けると、その時点でのオフセットをテーブル５６に書き込む。
【００５２】
アンプ制御部６１はテーブル５６及びチルト制御部５７に接続されている。アンプ制御部６１は、テーブル５６から通知されるオフセットに基づいて各アンプ６８〜７１を制御する。送信側装置の場合、アンプ制御部６１は、チルト制御部５７によって指示されるオフセットに基づいて各アンプ６８〜７１を制御する。
【００５３】
チルト制御部５７は判断部６０に接続されている。送信側装置の場合、チルト制御部５７は、判断部６０からオフセット変更指示を受けると、その指示内容に応じてオフセットを制御する。
【００５４】
分解部５４は確認部５３に接続されている。分解部５４は、確認部５３から出力されるテストパケットを複数、例えば図９に示す例では４つのパラレルデータに分解し、各データを、対応する波長の光変調器６４〜６７のＥ／Ｏコンバータ７９〜８２へ出力する。
【００５５】
Ｅ／Ｏコンバータ７９〜８２は分解部５４及び点滅制御部５９に接続されている。Ｅ／Ｏコンバータ７９〜８２は、分解部５４から出力されるデータを光信号に変換する。受信側装置の場合、Ｅ／Ｏコンバータ７９〜８２は、点滅制御部５９によって制御されて点滅する。
【００５６】
アンプ６８〜７１はＥ／Ｏコンバータ７９〜８２及びアンプ制御部６１に接続されている。送信側装置の場合、アンプ６８〜７１は、アンプ制御部６１によって制御されて、Ｅ／Ｏコンバータ７９〜８２から出力される光信号を増幅する。受信側装置の場合、アンプ６８〜７１は、アンプ制御部６１によって制御されて、Ｅ／Ｏコンバータ７９〜８２から出力される光信号または点滅光を増幅する。
【００５７】
光スイッチ７６はアンプ６８〜７１及び多重分離部７７の分離部８８に接続されている。送信側装置の場合、光スイッチ７６は、アンプ６８〜７１から出力される光信号を、パケットの宛先に従って送信先及び伝送経路を設定して、多重分離部７７の多重部８７へ出力する。送信側装置の場合、光スイッチ７６は、分離部８８から出力される光信号または点滅光を、波長に応じてＰＤ７２〜７５及び光変調器６４〜６７のＯ／Ｅコンバータ８３〜８６へ出力する。
【００５８】
受信側装置の場合、光スイッチ７６は、アンプ６８〜７１から出力される光信号または点滅光を、パケットの宛先に従って送信先及び伝送経路を設定して、多重分離部７７の多重部８７へ出力する。受信側装置の場合、光スイッチ７６は、分離部８８から出力される光信号を、波長に応じてＰＤ７２〜７５及び光変調器６４〜６７のＯ／Ｅコンバータ８３〜８６へ出力する。
【００５９】
多重部８７は光スイッチ７６に接続されている。送信側装置の場合、多重部８７は、光スイッチ７６から出力される波長の異なる光信号を多重して増幅部７８のポストアンプ８９へ出力する。受信側装置の場合、多重部８７は、光スイッチ７６から出力される波長の異なる光信号または点滅光を多重して増幅部７８のポストアンプ８９へ出力する。
【００６０】
ポストアンプ８９は多重部８７及び図示しないＷＤＭリングネットワーク３８に接続されている。送信側装置の場合、ポストアンプ８９は、多重部８７から出力される光信号を増幅してＷＤＭリングネットワーク３８へ出力する。受信側装置の場合、ポストアンプ８９は、多重部８７から出力される光信号または点滅光を増幅してＷＤＭリングネットワーク３８へ出力する。
【００６１】
プリアンプ９０は図示しないＷＤＭリングネットワーク３８に接続されている。送信側装置の場合、プリアンプ９０は、ＷＤＭリングネットワーク３８から入力される光信号または点滅光を受信し、増幅して多重分離部７７の分離部８８へ出力する。受信側装置の場合、プリアンプ９０は、ＷＤＭリングネットワーク３８から入力される光信号を受信し、増幅して多重分離部７７の分離部８８へ出力する。
【００６２】
分離部８８はプリアンプ９０に接続されている。送信側装置の場合、分離部８８は、プリアンプ９０から出力される光信号または点滅光を波長ごとの光信号に分離して光スイッチ７６へ出力する。受信側装置の場合、分離部８８は、プリアンプ９０から出力される光信号を波長ごとの光信号に分離して光スイッチ７６へ出力する。
【００６３】
ＰＤ７２〜７５は光スイッチ７６に接続されている。送信側装置の場合、ＰＤ７２〜７５は、光スイッチ７６から出力される光信号または点滅光のレベルを波長ごとに測定し、光信号または点滅光のレベルに応じた電気信号に変換してＡＤＣ６３へ出力する。受信側装置の場合、ＰＤ７２〜７５は、光スイッチ７６から出力される光信号のレベルを波長ごとに測定し、光信号のレベルに応じた電気信号に変換してＡＤＣ６３へ出力する。
【００６４】
ＡＤＣ６３はＰＤ７２〜７５に接続されている。送信側装置の場合、ＡＤＣ６３は、ＰＤ７２〜７５の出力信号に基づいて、ＰＤ７２〜７５で測定された波長ごとの光信号または点滅光のレベルを集計し、デジタル信号に変換してカウント部６２へ出力する。受信側装置の場合、ＡＤＣ６３は、ＰＤ７２〜７５の出力信号に基づいて、ＰＤ７２〜７５で測定された波長ごとの光信号のレベルを集計し、デジタル信号に変換してカウント部６２へ出力する。
【００６５】
カウント部６２はＡＤＣ６３に接続されている。送信側装置の場合、カウント部６２は、ＡＤＣ６３から出力されるレベルに基づいて、図示しないＷＤＭリングネットワーク３８を介して受信側光伝送装置から通知される光の点滅回数をカウントし、点滅回数の情報を判断部６０へ通知する。受信側装置の場合、カウント部６２は、ＡＤＣ６３から出力されるレベルに基づいて、光変調器６４〜６７のＯ／Ｅコンバータ８３〜８６で受信可能なレベルの光信号の波長数をカウントして判断部６０へ通知する。受信側装置の場合、カウント部６２は、ＡＤＣ６３から出力されるレベルに基づいて、集計された波長ごとの光信号のレベルの情報をカウントし、波長ごとのレベルを判断部６０へ通知する。
【００６６】
Ｏ／Ｅコンバータ８３〜８６は光スイッチ７６に接続されている。Ｏ／Ｅコンバータ８３〜８６は、光スイッチ７６から出力される光信号を電気信号に変換して出力する。
【００６７】
組立部５５はＯ／Ｅコンバータ８３〜８６に接続されている。組立部５５は、Ｏ／Ｅコンバータ８３〜８６から出力される電気信号をパケットに組み立てて出力する。また、組立部５５は、図示しないクライアント端末に接続されている。通常の動作モードにおいては、組立部５５は、組み立てたパケットをクライアント端末へ出力する。
【００６８】
抽出部５２は組立部５５に接続されている。送信側装置の場合、抽出部５２は、組立部５５から出力されるパケットから各波長のレベル情報を抽出して判断部６０へ通知する。
【００６９】
判断部６０はチルト制御部５７、カウント部６２及び抽出部５２に接続されている。送信側装置の場合、判断部６０は、カウント部６２から通知される点滅回数と、自装置が送信する光信号の波長数とを比較する。比較の結果、点滅回数と自装置の送信波長数とが一致しない場合で、チルトに関するオフセットの調節を行う保守モードに遷移してから最初の比較である場合には、判断部６０は、チルト制御部５７に対して、オフセットを短波長側または長波長側のいずれか一方に変更させるオフセット変更指示を出力する。オフセットを短波長側または長波長側のいずれに変更させるかは予め決められている。
【００７０】
点滅回数と自装置の送信波長数とが一致しない場合で、チルトに関するオフセットの調節を行う保守モードに遷移してから２回目以降の比較である場合、判断部６０は、その時点のオフセットの情報をチルト制御部５７から取得する。そして、判断部６０は、チルト制御部５７に対して、カウント部６２から通知される点滅回数が増える方向にオフセットを変更させるオフセット変更指示を出力する。例えば、２回目以降の比較において、判断部６０は、カウント部６２から通知される点滅回数が前回の比較時よりも増える場合には、オフセットを大きくする方向に変更させ、点滅回数が前回の比較時よりも減る場合には、オフセットを小さくする方向に変更させてもよい。
【００７１】
点滅回数と自装置の送信波長数とが一致する場合、判断部６０は、チルト制御部５７に対して、オフセットを、抽出部５２から通知される波長間のレベルのばらつきが小さくなる方向に変更させるオフセット変更指示を出力する。抽出部５２から通知される波長間のレベルのばらつきが目標値以下になると、判断部６０は、書込部５８に対して書き込み指示を出力する。目標値は判断部６０に予め設定されている。
【００７２】
受信側装置の場合、判断部６０は、カウント部６２から通知される波長数のカウントの情報に基づいて点滅制御部５９に点滅回数を書き込む。受信側装置の場合、判断部６０は、点滅制御部５９に対して、光変調器６４〜６７のＥ／Ｏコンバータ７９〜８２の点滅を停止させる停止指示を出力し、カウント部６２から通知される波長ごとのレベルを挿入部５１へ通知する。
【００７３】
点滅制御部５９は判断部６０に接続されている。点滅制御部５９は、判断部６０によって書き込まれた点滅回数だけ光変調器６４〜６７のＥ／Ｏコンバータ７９〜８２を点滅させる。
【００７４】
光伝送装置Ａ３１が送信側光伝送装置となる場合の構成において、チルト制御部５７、判断部６０、アンプ制御部６１、カウント部６２、ＡＤＣ６３及びＰＤ７２〜７５はオフセット部に含まれてもよい。挿入部５１、確認部５３、分解部５４、光変調器６４〜６７のＥ／Ｏコンバータ７９〜８２、アンプ６８〜７１、光スイッチ７６、多重分離部７７の多重部８７及び増幅部７８のポストアンプ８９は送信部に含まれてもよい。
【００７５】
光伝送装置Ａ３１が受信側光伝送装置となる場合の構成において、増幅部７８のプリアンプ９０、多重分離部７７の分離部８８、ＰＤ７２〜７５及び光変調器６４〜６７のＯ／Ｅコンバータ８３〜８６は受信部に含まれてもよい。ＡＤＣ６３及びカウント部６２は測定部に含まれてもよい。判断部６０、点滅制御部５９、光変調器６４〜６７のＥ／Ｏコンバータ７９〜８２、アンプ６８〜７１、光スイッチ７６、多重分離部７７の多重部８７及び増幅部７８のポストアンプ８９は通知部に含まれてもよい。
【００７６】
光伝送装置Ａ３１において、テーブル５６は、ＥＥＰＲＯＭやフラッシュメモリなどの書き換え可能なＲＯＭに格納されてもよい。また、書き換え可能なＲＯＭやマスクＲＯＭなどの不揮発性メモリにブートプログラムが格納されていてもよい。判断部６０は、例えばオフセットを調節する処理を実現するプログラムをＣＰＵが実行することによって実現されてもよい。オフセットを調節する処理を実現するプログラムは、書き換え可能なＲＯＭやマスクＲＯＭなどの不揮発性メモリに格納されていてもよい。ＣＰＵは、ＲＡＭなどの揮発性メモリを作業領域として用いてもよい。
【００７７】
チルト制御部５７、書込部５８、点滅制御部５９、アンプ制御部６１及びカウント部６２は、例えば１または２以上のＦＰＧＡなどのプログラマブルロジックデバイスやＡＳＩＣによって実現されてもよい。挿入部５１及び抽出部５２は、例えば１または２以上のＦＰＧＡなどのプログラマブルロジックデバイスやＡＳＩＣによって実現されてもよい。分解部５４及び組立部５５は、例えば１または２以上のＦＰＧＡなどのプログラマブルロジックデバイスやＡＳＩＣやＤＳＰ（Ｄｉｇｉｔａｌ  Ｓｉｇｎａｌ  Ｐｒｏｃｅｓｓｏｒ、デジタルシグナルプロセッサ）によって実現されてもよい。ＦＰＧＡの回路情報は、書き換え可能なＲＯＭやマスクＲＯＭなどの不揮発性メモリに格納されていてもよい。
【００７８】
・各波長のレベルの情報が書き込まれたテストパケットの一例
図１０は、各波長のレベルの情報が書き込まれたテストパケットの一例を示す図である。光伝送装置Ａ３１が受信側光伝送装置である場合、図１０に示すように、例えばテストパケット１０１内のイーサパケット１０２のペイロード１０３に、送信側光伝送装置から送信される光信号の波長λ1〜λ4ごとにレベルのデータが書き込まれる。図１０において、各波長の欄の上段は波長及びレベルを表し、下段はＡＳＣＩＩ（Ａｍｅｒｉｃａｎ  Ｓｔａｎｄａｒｄ  Ｃｏｄｅ  ｆｏｒ  Ｉｎｆｏｒｍａｔｉｏｎ  Ｉｎｔｅｒｃｈａｎｇｅ）コードにより実際に格納されたイメージを表す。例えば図１０に示す例では、波長λ1のレベルは−１４．５ｄＢｍであり、波長λ2のレベルは−１６．０ｄＢｍであり、波長λ3のレベルは−１５．５ｄＢｍであり、波長λ4のレベルは−１３．５ｄＢｍである。
【００７９】
・送信側光伝送装置におけるチルトに関するオフセットの調節手順の第１の例
図１１は、実施の形態にかかる光伝送装置におけるチルトに関するオフセットの調節手順の第１の例を示す図であり、図１２は図１１の続きを示す図である。図１１に示すように、送信側光伝送装置においてチルトに関するオフセットの調節処理が開始されると、送信側光伝送装置は、まず自装置の受信側がＬＯＳ（ロスオブシグナル）でないか否かを判断する（ステップＳ１１）。
【００８０】
送信側光伝送装置は、自装置の受信側で１波長以上の光信号を検出できればＬＯＳでないと判断することができる。送信側光伝送装置は、自装置の受信側で１波長も光信号を検出できない場合、ＬＯＳであると判断することができる。あるいは、監視用端末３７がＬＯＳやＬＯＬ（ロスオブライト）を監視しているため、送信側光伝送装置は監視用端末３７からＬＯＳであるか否かの情報を取得してもよい。
【００８１】
送信側光伝送装置の受信側がＬＯＳである場合（ステップＳ１１：Ｎｏ）、送信側光伝送装置は、ＬＯＳから復帰するのを待機する。あるいは、送信側光伝送装置は、エラーを発生させて処理を終了してもよい。送信側光伝送装置の受信側がＬＯＳでない場合（ステップＳ１１：Ｙｅｓ）、送信側光伝送装置は、挿入部５１から確認部５３へテストパケットを出力する。確認部５３は、挿入部５１から出力されたテストパケットの送付先を確認し、テストパケットの送付先の情報をテーブル５６へ通知し、テストパケットを分解部５４へ出力する。
【００８２】
テーブル５６は、確認部５３から通知された送付先に応じたオフセットの情報をアンプ制御部６１へ通知する。チルトに関するオフセットの調節処理を開始した直後は、テーブル５６にオフセットが書き込まれていない。そのため、テーブル５６は、予め設定されている初期値をアンプ制御部６１に通知し、それによってアンプ制御部６１においてオフセットが初期値に設定される（ステップＳ１２）。初期値はゼロであってもよい。
【００８３】
分解部５４は、確認部５３から出力されたテストパケットをパラレルデータに分解し、各データを、対応する波長のＥ／Ｏコンバータ７９〜８２へ出力する。Ｅ／Ｏコンバータ７９〜８２は、分解部５４から出力されたデータを光信号に変換する。Ｅ／Ｏコンバータ７９〜８２から出力された光信号は、アンプ制御部６１によって制御されたアンプ６８〜７１によって増幅され、光スイッチ７６によって送信先及び伝送経路を設定され、多重部８７によって多重され、ポストアンプ８９によって増幅されてＷＤＭリングネットワーク３８へ出力される。つまり、送信側光伝送装置はテストパケットをＷＤＭリングネットワーク３８へ送信する（ステップＳ１３）。
【００８４】
しかる後、送信側光伝送装置は、自装置の受信側でＷＤＭリングネットワーク３８から点滅光を受信したか否かを判断する（ステップＳ１４）。点滅光を受信している場合（ステップＳ１４：Ｙｅｓ）、ステップＳ１６へ進む。点滅光を受信していない場合（ステップＳ１４：Ｎｏ）、送信側光伝送装置は待機状態となる。待機状態の経過時間が予め決められているタイムアウト設定時間を超えたら（ステップＳ１５：Ｙｅｓ）、送信側光伝送装置はエラーを発生させて処理を終了してもよい。
【００８５】
待機状態の経過時間がタイムアウト設定時間に達する前に（ステップＳ１５：Ｎｏ）、送信側光伝送装置の受信側で点滅光を受信すると（ステップＳ１４：Ｙｅｓ）、点滅光は、プリアンプ９０によって増幅され、分離部８８によって波長ごとの光信号に分離される。波長ごとに分離された光信号は、光スイッチ７６によって対応する波長のＰＤ７２〜７５へ送られる。
【００８６】
そして、送信側光伝送装置は、ＰＤ７２〜７５によって点滅光のレベルを波長ごとに測定し、ＡＤＣ６３によって各点滅光のレベルを集計し、カウント部６２によって光の点滅回数をカウントする（ステップＳ１６）。次いで、送信側光伝送装置は、判断部６０によって、点滅回数と、自装置が送信する光信号の波長数とが一致するか否かを判断する（ステップＳ１７）。点滅回数と自装置の送信波長数とが一致する場合（ステップＳ１７：Ｙｅｓ）、ステップＳ２１へ進む。
【００８７】
点滅回数と自装置の送信波長数とが一致しない場合（ステップＳ１７：Ｎｏ）、送信側光伝送装置は、判断部６０によって、前回と比べて点滅回数が増えたか否かを判断する（ステップＳ１８）。チルトに関するオフセットの調節処理を開始した直後は、点滅回数と自装置の送信波長数との比較を初めて行うため、前回の点滅回数のデータがない。そこで、判断部６０は、チルト制御部５７に対して、オフセットを例えば短波長側または長波長側の予め決められている仮の値に設定するように指示する。
【００８８】
チルト制御部５７は、仮の値のオフセットをアンプ制御部６１に通知し、それによってアンプ制御部６１においてオフセットが仮の値に設定される。そして、送信側光伝送装置は、仮のオフセットをかけた状態でテストパケットをＷＤＭリングネットワーク３８へ送信する（ステップＳ１３）。送信側光伝送装置は、このパケットの送信に対してステップＳ１４〜ステップＳ１７の処理を行う。点滅回数と自装置の送信波長数とが一致する場合（ステップＳ１７：Ｙｅｓ）、ステップＳ２１へ進む。
【００８９】
２回目以降の比較において点滅回数と自装置の送信波長数とが一致しない場合（ステップＳ１７：Ｎｏ）、送信側光伝送装置は、判断部６０によって、前回と比べて点滅回数が増えたか否かを判断する（ステップＳ１８）。オフセットの方向が合っている場合には、受信側光伝送装置で受信可能な光信号の波長数が増えるため、送信側光伝送装置が受信する光の点滅回数が増える。従って、点滅回数が増える場合（ステップＳ１８：Ｙｅｓ）、判断部６０は、チルト制御部５７に対して、オフセットの傾きを大きくするように指示する。
【００９０】
チルト制御部５７は、傾きが大きくなるように変更したオフセットをアンプ制御部６１に通知し、それによってアンプ制御部６１において、傾きが大きくなるように変更されたオフセットが設定される（ステップＳ１９）。そして、送信側光伝送装置は、傾きを大きくされたオフセットをかけた状態でテストパケットをＷＤＭリングネットワーク３８へ送信する（ステップＳ１３）。
【００９１】
一方、オフセットの方向が合っていない場合には、受信側光伝送装置で受信可能な光信号の波長数が減るため、送信側光伝送装置が受信する光の点滅回数が減る。従って、点滅回数が減る場合（ステップＳ１８：Ｎｏ）、判断部６０は、チルト制御部５７に対して、オフセットの傾きを逆にするように指示する。
【００９２】
チルト制御部５７は、傾きが逆になるように変更したオフセットをアンプ制御部６１に通知し、それによってアンプ制御部６１において、傾きが逆になるように変更されたオフセットが設定される（ステップＳ２０）。そして、送信側光伝送装置は、傾きを逆にされたオフセットをかけた状態でテストパケットをＷＤＭリングネットワーク３８へ送信する（ステップＳ１３）。
【００９３】
送信側光伝送装置は、ステップＳ１７において点滅回数と自装置の送信波長数とが一致するまで、ステップＳ１９またはステップＳ２０において設定されたオフセットをかけたテストパケットの送信に対して、ステップＳ１４〜ステップＳ２０の処理を繰り返す。ステップＳ１７において点滅回数と自装置の送信波長数とが一致すると、送信側光伝送装置は、判断部６０によって、自装置から送信した全ての波長の光信号が受信側光伝送装置に到達したことを認識し、オフセットが大まかに合っていると判断する（ステップＳ２１）。
【００９４】
送信側光伝送装置は、点滅回数と自装置の送信波長数とが一致したときのオフセットを暫定値としてメモリに保持しておく。送信側光伝送装置は、書込部５８によって、点滅回数と自装置の送信波長数とが一致したときのオフセットを暫定値としてテーブル５６に書き込んでもよい。本実施例では、テーブル５６に書き込むとして説明する。チルトに関するオフセットの調節処理を開始した後、初めて点滅回数と自装置の送信波長数との比較を行った結果、点滅回数と自装置の送信波長数とが一致した場合には、オフセットの初期値が暫定値となる。
【００９５】
ここまでで、受信側光伝送装置は、送信側光伝送装置から送信した全ての波長の光信号を受信することができるため、送信側光伝送装置から受信側光伝送装置へのパケット通信が可能となる。続いて、受信側光伝送装置から送信側光伝送装置へのパケット通信を可能とするため、今まで送信側光伝送装置としていた光伝送装置を受信側光伝送装置とし、今まで受信側光伝送装置としていた光伝送装置を送信側光伝送装置として、送信側光伝送装置とした光伝送装置において上述したステップＳ１１〜ステップＳ２１の処理を行う。そして、双方向で波長の欠落がなく、パケット通信が可能な状態となったら、図１２に示す処理へ進む。
【００９６】
送信側光伝送装置と受信側光伝送装置との間でパケット通信を双方向でできる状態となったら、図１２に示すように、送信側光伝送装置は、挿入部５１から確認部５３へテストパケットを出力する。確認部５３は、挿入部５１から出力されたテストパケットの送付先を確認し、テストパケットの送付先の情報をテーブル５６へ通知し、テストパケットを分解部５４へ出力する。テーブル５６は、確認部５３から通知された送付先に応じたオフセットの暫定値をアンプ制御部６１へ通知する。
【００９７】
分解部５４は、確認部５３から出力されたテストパケットをパラレルデータに分解する。分解された各データは、Ｅ／Ｏコンバータ７９〜８２によって光信号に変換され、アンプ制御部６１によってオフセットの暫定値がかかるように制御されたアンプ６８〜７１によって増幅され、光スイッチ７６、多重部８７及びポストアンプ８９を経てＷＤＭリングネットワーク３８へ出力される。つまり、送信側光伝送装置はテストパケットをＷＤＭリングネットワーク３８へ送信する（ステップＳ２２）。
【００９８】
ステップＳ２２で送信したテストパケットに対して、受信側光伝送装置から、受信側光伝送装置が受信した光信号の波長ごとのレベルの情報が書き込まれたテストパケットが返される。受信側光伝送装置は、この波長ごとのレベルの情報を書き込んだテストパケットをパラレルデータに分解し、各データを波長の異なる光信号に割り当てて送信してくる。送信側光伝送装置は、この波長ごとのレベルの情報が書き込まれたテストパケットの光信号を受信する（ステップＳ２３）。
【００９９】
波長ごとのレベルの情報が書き込まれたテストパケットの光信号は、プリアンプ９０によって増幅され、分離部８８によって波長ごとの光信号に分離される。波長ごとに分離された光信号は、光スイッチ７６によって対応する波長のＯ／Ｅコンバータ８３〜８６へ送られ、Ｏ／Ｅコンバータ８３〜８６によって電気信号に変換される。変換された電気信号は、組立部５５において元の波長ごとのレベルの情報が書き込まれたテストパケットに組み立てられる。
【０１００】
そして、送信側光伝送装置は、抽出部５２によって、波長ごとのレベルの情報が書き込まれたテストパケットから各波長のレベル情報を抽出し、判断部６０によって、各波長のレベルに基づいて波長間のレベルのばらつき、すなわちチルト量が目標値以下であるか否かを判断する（ステップＳ２４）。チルト量が目標値以下である場合（ステップＳ２４：Ｙｅｓ）、ステップＳ２６へ進む。
【０１０１】
チルト量が目標値以下でない場合（ステップＳ２４：Ｎｏ）、判断部６０は、チルト制御部５７に対してオフセットを微調整するように指示する。チルト制御部５７は、微調整したオフセットをアンプ制御部６１に通知し、それによってアンプ制御部６１において微調整されたオフセットが設定される（ステップＳ２５）。そして、送信側光伝送装置は、微調整されたオフセットをかけた状態でテストパケットをＷＤＭリングネットワーク３８へ送信する（ステップＳ２２）。
【０１０２】
送信側光伝送装置は、ステップＳ２４においてチルト量が目標値以下になるまで、ステップＳ２２〜ステップＳ２５の処理を繰り返す。そして、チルト量が目標値以下になったら（ステップＳ２４：Ｙｅｓ）、判断部６０は書込部５８に対してオフセット値の書き込みを指示する。書込部５８は、判断部６０からの書き込み指示によって、テーブル５６に、チルト量が目標値以下となったときのオフセットを書き込む（ステップＳ２６）。以上のようにしてテーブル５６にオフセットが書き込まれると、送信側光伝送装置における一連の処理が終了する。
【０１０３】
ここまでで、送信側光伝送装置から受信側光伝送装置へのパケット通信において、送信側光伝送装置におけるオフセットが最適化される。それによって、受信側光伝送装置が受信する光信号のチルト量が補正される。続いて、受信側光伝送装置から送信側光伝送装置へのパケット通信においても、受信側光伝送装置におけるオフセットを最適化して送信側光伝送装置が受信する光信号のチルト量を補正する必要がある。
【０１０４】
そこで、今まで送信側光伝送装置としていた光伝送装置を受信側光伝送装置とし、今まで受信側光伝送装置としていた光伝送装置を送信側光伝送装置として、送信側光伝送装置とした光伝送装置において上述したステップＳ２２〜ステップＳ２６の処理を行う。それによって、双方向でオフセットが最適化されるため、対向する光伝送装置間で互いにチルト量を補正することができる。
【０１０５】
・受信側光伝送装置におけるチルトに関するオフセット調節時の動作の一例
送信側光伝送装置が上述したステップＳ１１〜ステップＳ２１の処理を行う場合における受信側光伝送装置の動作の一例を説明する。なお、受信側光伝送装置の構成は送信側光伝送装置の構成と同様であり、例えば図９に示す光伝送装置Ａ３１と同様の構成となる。従って、受信側光伝送装置の動作の説明においても、各部の名称に図９に付した符号を付す。
【０１０６】
図１１のステップＳ１３において送信側光伝送装置が、テストパケットを分解してできたデータを割り当てた光信号をＷＤＭリングネットワーク３８へ送信すると、受信側光伝送装置はＷＤＭリングネットワーク３８から光信号を受信する。受信側光伝送装置は、受信した光信号をプリアンプ９０によって増幅し、分離部８８によって波長ごとの光信号に分離する。波長ごとに分離された光信号は、光スイッチ７６によって対応する波長のＰＤ７２〜７５へ送られる。
【０１０７】
そして、受信側光伝送装置は、ＰＤ７２〜７５によって光信号のレベルを波長ごとに測定する。受信側光伝送装置は、ＡＤＣ６３によって各光信号のレベルを集計し、カウント部６２によって、Ｏ／Ｅコンバータ８３〜８６で受信可能なレベルの波長数をカウントする。受信側光伝送装置は、カウント部６２によってカウントされた波長数のカウントの情報に基づいて、判断部６０によって点滅制御部５９に点滅回数を書き込む。
【０１０８】
受信側光伝送装置において、点滅制御部５９は、判断部６０によって書き込まれた点滅回数だけＥ／Ｏコンバータ７９〜８２を点滅させる。この時点では、受信側光伝送装置のテーブル５６にはオフセットが書き込まれていないため、アンプ制御部６１によるアンプ６８〜７１へのオフセットは行われない。つまり、Ｅ／Ｏコンバータ７９〜８２は同一レベルで点滅する。
【０１０９】
点滅光は、アンプ６８〜７１によって増幅され、光スイッチ７６によって送信先及び伝送経路を設定され、多重部８７によって多重され、ポストアンプ８９によって増幅されてＷＤＭリングネットワーク３８へ出力される。受信側光伝送装置からＷＤＭリングネットワーク３８へ出力された点滅光は、図１１のステップＳ１４において送信側光伝送装置によって受信される。
【０１１０】
また、図１２のステップＳ２２において送信側光伝送装置が、テストパケットを分解してできたデータを割り当てた光信号をＷＤＭリングネットワーク３８へ送信すると、受信側光伝送装置はＷＤＭリングネットワーク３８から光信号を受信する。受信側光伝送装置は、受信した光信号をプリアンプ９０によって増幅し、分離部８８によって波長ごとの光信号に分離する。波長ごとに分離された光信号は、光スイッチ７６によって対応する波長のＰＤ７２〜７５及びＯ／Ｅコンバータ８３〜８６へ送られる。
【０１１１】
そして、受信側光伝送装置は、ＰＤ７２〜７５によって光信号のレベルを波長ごとに測定し、ＡＤＣ６３によって各光信号のレベルを集計する。受信側光伝送装置は、カウント部６２によって、集計されたレベルの情報をカウントし、波長ごとのレベルを判断部６０へ通知する。受信側光伝送装置において、判断部６０は、点滅制御部５９に対して、Ｅ／Ｏコンバータ７９〜８２の点滅を停止させる。それによって、Ｅ／Ｏコンバータ７９〜８２の点滅が停止する。また、判断部６０は、カウント部６２から通知された波長ごとのレベルを挿入部５１へ通知する。
【０１１２】
受信側光伝送装置において、挿入部５１は、各波長のレベルの情報をテストパケットに書き込み、そのテストパケットを確認部５３へ出力する。確認部５３は、挿入部５１から出力されたテストパケットの送付先を確認し、テストパケットの送付先の情報をテーブル５６へ通知し、テストパケットを分解部５４へ出力する。テーブル５６は、確認部５３から通知された送付先に応じたオフセットの暫定値をアンプ制御部６１へ通知する。
【０１１３】
分解部５４は、確認部５３から出力されたテストパケットをパラレルデータに分解する。分解された各データは、Ｅ／Ｏコンバータ７９〜８２によって光信号に変換され、アンプ制御部６１によってオフセットの暫定値がかかるように制御されたアンプ６８〜７１によって増幅され、光スイッチ７６、多重部８７及びポストアンプ８９を経てＷＤＭリングネットワーク３８へ出力される。受信側光伝送装置からＷＤＭリングネットワーク３８へ出力された、各波長のレベルの情報が書き込まれたテストパケットは、図１２のステップＳ２３において送信側光伝送装置によって受信される。
【０１１４】
・チルトに関するオフセットの調節手順の第１の具体例
図１３は、チルトに関するオフセットの調節手順の第１の具体例を示す図であり、図１４は図１３の続きを示す図である。図１３及び図１４に示す例は、上述したチルトに関するオフセットの調節手順の第１の例において、チルトに関するオフセットの調節処理を開始した後、初めて点滅回数と自装置の送信波長数との比較を行った結果、点滅回数と自装置の送信波長数とが一致する場合の例である。本実施例では、光伝送装置Ａ３１と光伝送装置Ｄ３４との間でチルトに関するオフセットを調節する場合を例にして説明する。
【０１１５】
なお、図１３及び図１４においては、光伝送装置Ａ３１をＡ局と表し、光伝送装置Ｄ３４をＤ局と表している。光伝送装置Ｂ３２及び光伝送装置Ｃ３３は光中継装置として動作している。また、光伝送装置Ａ３１から出力された光信号は、光伝送装置Ｂ３２及び光伝送装置Ｃ３３で中継されて光伝送装置Ｄ３４に到達し、光伝送装置Ｄ３４から出力された光信号はその逆の経路で光伝送装置Ａ３１に到達するとする。光伝送装置Ａ３１及び光伝送装置Ｄ３４が送信する光信号の波長数は４であるとする。
【０１１６】
まず、図１３において、符号１１１で示すように、光伝送装置Ａ３１は、オフセットを初期値に設定してテストパケットの光信号を送信する。送信された光信号には、光伝送装置Ｂ３２及び光伝送装置Ｃ３３の各中継点での線形アンプや伝送線路の特性に起因する波長間のチルト１２１が発生する。しかし、本実施例では、全ての波長の光信号が光伝送装置Ｄ３４のダイナミックレンジ内に納まっているため、光伝送装置Ｄ３４は全ての波長の光信号を受信する。
【０１１７】
次いで、図１３において、符号１１２で示すように、光伝送装置Ｄ３４は、受信した光信号の波長数と同じ回数、すなわち本実施例では４回だけ、全波長の光信号を同一のレベルで点滅させる。送信された光信号には、光伝送装置Ｃ３３及び光伝送装置Ｂ３２の各中継点での線形アンプや伝送線路の特性に起因する波長間のチルト１２２が発生する。しかし、光伝送装置Ａ３１と光伝送装置Ｄ３４との間がＬＯＬやＬＯＳの状態ではないため、少なくとも１つの波長の光信号のレベルは光伝送装置Ａ３１のダイナミックレンジ内に納まる。従って、光伝送装置Ａ３１は、受信した光信号の点滅回数を認識することができる。なお、図１３に示す例では、全ての波長の光信号が光伝送装置Ａ３１のダイナミックレンジ内に納まっているとする。光伝送装置Ａ３１は、受信した光信号の点滅回数が、自装置が送信した光信号の波長数に一致するため、テストパケットの送信を停止する。
【０１１８】
次いで、図１３において、符号１１３で示すように、光伝送装置Ｄ３４は、オフセットを初期値に設定してテストパケットの光信号を送信する。送信された光信号には、光伝送装置Ｃ３３及び光伝送装置Ｂ３２の各中継点での線形アンプや伝送線路の特性に起因する波長間のチルト１２２が発生する。しかし、本実施例では、全ての波長の光信号が光伝送装置Ａ３１のダイナミックレンジ内に納まっているため、光伝送装置Ａ３１は全ての波長の光信号を受信する。
【０１１９】
次いで、図１３において、符号１１４で示すように、光伝送装置Ａ３１は、受信した光信号の波長数と同じ回数、すなわち本実施例では４回だけ、全波長の光信号を同一のレベルで点滅させる。送信された光信号には、光伝送装置Ｂ３２及び光伝送装置Ｃ３３の各中継点での線形アンプや伝送線路の特性に起因する波長間のチルト１２１が発生する。しかし、光伝送装置Ａ３１と光伝送装置Ｄ３４との間がＬＯＬやＬＯＳの状態ではないため、少なくとも１つの波長の光信号のレベルは光伝送装置Ｄ３４のダイナミックレンジ内に納まる。従って、光伝送装置Ｄ３４は、受信した光信号の点滅回数を認識することができる。なお、図１３に示す例では、全ての波長の光信号が光伝送装置Ｄ３４のダイナミックレンジ内に納まっているとする。光伝送装置Ｄ３４は、受信した光信号の点滅回数が、自装置が送信した光信号の波長数に一致するため、テストパケットの送信を停止する。
【０１２０】
ここまでで、光伝送装置Ａ３１及び光伝送装置Ｄ３４の両方で波長間のチルト１２１，１２２が発生しているものの、光伝送装置Ａ３１及び光伝送装置Ｄ３４のダイナミックレンジ内に全ての波長の光信号のレベルが入っている。そのため、光伝送装置Ａ３１及び光伝送装置Ｄ３４は、オフセットの初期値のままでパケット信号を認識することができる状態となっている。
【０１２１】
次いで、図１４において、符号１１５で示すように、光伝送装置Ａ３１は、オフセットを初期値に設定してテストパケットの光信号を送信する。光伝送装置Ａ３１から送信された全ての波長の光信号が光伝送装置Ｄ３４のダイナミックレンジ内に納まっているため、光伝送装置Ｄ３４は全ての波長の光信号を受信する。光伝送装置Ｄ３４は、受信した光信号のレベルを波長ごとに測定する。
【０１２２】
次いで、図１４において、符号１１６で示すように、光伝送装置Ｄ３４は、各波長の光信号のレベルをテストパケットに書き込み、テストパケットを各波長の光信号にして光伝送装置Ａ３１へ送信する。光伝送装置Ａ３１は、各波長の光信号を受信して元のテストパケットを組み立て、そのテストパケットから各波長の光信号のレベルを抽出して光伝送装置Ｄ３４における減衰量を算出する。
【０１２３】
次いで、図１４において、符号１１７で示すように、光伝送装置Ａ３１は、各波長の光信号の減衰量に基づいてオフセットを算出する。そして、光伝送装置Ａ３１は、テストパケットを各波長の光信号にし、算出したオフセット１２３をかけて各波長の光信号を光伝送装置Ｄ３４へ送信する。各波長の光信号にかけられたオフセットは、光伝送装置Ｂ３２及び光伝送装置Ｃ３３の各中継点での線形アンプや伝送線路によって発生するチルトによって相殺される。それによって、光伝送装置Ｄ３４における波長間のレベルのばらつき１２４が減少する。光伝送装置Ｄ３４は、受信した光信号のレベルを波長ごとに測定する。
【０１２４】
次いで、図１４において、符号１１８で示すように、光伝送装置Ｄ３４は、各波長の光信号のレベルをテストパケットに書き込み、テストパケットを各波長の光信号にして光伝送装置Ａ３１へ送信する。光伝送装置Ａ３１は、各波長の光信号を受信して元のテストパケットを組み立て、そのテストパケットから各波長の光信号のレベルを抽出して光伝送装置Ｄ３４におけるチルト量を算出する。算出したチルト量が目標値以下であれば、光伝送装置Ａ３１はチルトに関するオフセットの調節処理を終了する。算出したチルト量が目標値を超える場合には、光伝送装置Ａ３１は、各波長の光信号の減衰量に基づいてオフセットを算出し、算出したオフセットをかけて各波長の光信号を光伝送装置Ｄ３４へ送信し、オフセットの再調整を行う。
【０１２５】
ここまでで、光伝送装置Ａ３１から光伝送装置Ｄ３４へ送信される光信号に発生するチルトを相殺するオフセット値の設定が終了となる。続いて、光伝送装置Ｄ３４から光伝送装置Ａ３１へ送信される光信号についても、図１４に示す手順と同様にしてオフセット値を設定する。
【０１２６】
・チルトに関するオフセットの調節手順の第２の具体例
図１５は、チルトに関するオフセットの調節手順の第２の具体例を示す図であり、図１６は図１５の続きを示す図であり、図１７は図１６の続きを示す図である。図１５〜図１７に示す例は、上述したチルトに関するオフセットの調節手順の第１の例において、チルトに関するオフセットの調節処理を開始した後、初めて点滅回数と自装置の送信波長数との比較を行った結果、点滅回数と自装置の送信波長数とが一致しない場合の例である。本実施例では、光伝送装置Ａ３１と光伝送装置Ｄ３４との間でチルトに関するオフセットを調節する場合を例にして説明する。
【０１２７】
なお、図１５〜図１７においては、光伝送装置Ａ３１をＡ局と表し、光伝送装置Ｄ３４をＤ局と表している。光伝送装置Ｂ３２及び光伝送装置Ｃ３３は光中継装置として動作している。また、光伝送装置Ａ３１から出力された光信号は、光伝送装置Ｂ３２及び光伝送装置Ｃ３３で中継されて光伝送装置Ｄ３４に到達し、光伝送装置Ｄ３４から出力された光信号はその逆の経路で光伝送装置Ａ３１に到達するとする。光伝送装置Ａ３１及び光伝送装置Ｄ３４が送信する光信号の波長数は４であるとする。
【０１２８】
まず、図１５において、符号１３１で示すように、光伝送装置Ａ３１は、オフセットを初期値に設定してテストパケットの光信号を送信する。送信された光信号には、光伝送装置Ｂ３２及び光伝送装置Ｃ３３の各中継点での線形アンプや伝送線路の特性に起因する波長間のチルト１２１が発生する。それによって、光伝送装置Ａ３１から送信された光信号のうち、一部の波長の光信号が光伝送装置Ｄ３４のダイナミックレンジ内に納まるが、残りの波長の光信号は光伝送装置Ｄ３４のダイナミックレンジ内に納まらない。本実施例では、光伝送装置Ａ３１から送信された４つの波長の光信号のうち、２つの波長の光信号が光伝送装置Ｄ３４のダイナミックレンジ１２５内に納まるとする。従って、光伝送装置Ｄ３４は、２つの波長の光信号の受信を認識する。
【０１２９】
次いで、図１５において、符号１３２で示すように、光伝送装置Ｄ３４は、受信した光信号の波長数と同じ回数、すなわち本実施例では２回だけ、全波長の光信号を同一のレベルで点滅させる。送信された光信号には、光伝送装置Ｃ３３及び光伝送装置Ｂ３２の各中継点での線形アンプや伝送線路の特性に起因する波長間のチルト１２２が発生する。しかし、光伝送装置Ａ３１と光伝送装置Ｄ３４との間がＬＯＬやＬＯＳの状態ではないため、少なくとも１つの波長の光信号のレベルは光伝送装置Ａ３１のダイナミックレンジ内に納まる。従って、光伝送装置Ａ３１は、受信した光信号の点滅回数を認識し、受信した光信号の点滅回数が、自装置が送信した光信号の波長数に一致しないと判断する。
【０１３０】
次いで、図１５において、符号１３３で示すように、光伝送装置Ａ３１は、仮に例えば短波長側にオフセットを設定してテストパケットの光信号を送信する。その結果、光伝送装置Ｄ３４のダイナミックレンジ１２５内に納まる波長数が減り、例えば１つの波長の光信号が光伝送装置Ｄ３４のダイナミックレンジ１２５内に納まるとする。この場合、光伝送装置Ｄ３４は、１つの波長の光信号の受信を認識する。
【０１３１】
次いで、図１５において、符号１３４で示すように、光伝送装置Ｄ３４は、受信した光信号の波長数と同じ回数、すなわち本実施例では１回だけ、全波長の光信号を同一のレベルで点滅させる。その結果、光伝送装置Ａ３１は、受信した光信号の点滅回数を認識し、受信した光信号の点滅回数が、自装置が送信した光信号の波長数に一致せず、かつ前回よりも波長数が減ったことを認識する。前回よりも波長数が減ったことにより、光伝送装置Ａ３１は、仮に設定したオフセットの方向が誤りであったと判断する。
【０１３２】
そこで、図１６において、符号１３５で示すように、光伝送装置Ａ３１は、先の仮に設定したオフセットと逆方向、例えば長波長側にオフセットを設定してテストパケットの光信号を送信する。その結果、光伝送装置Ｄ３４のダイナミックレンジ１２５内に納まる波長数が増え、例えば３つの波長の光信号が光伝送装置Ｄ３４のダイナミックレンジ１２５内に納まるとする。この場合、光伝送装置Ｄ３４は、３つの波長の光信号の受信を認識する。
【０１３３】
次いで、図１６において、符号１３６で示すように、光伝送装置Ｄ３４は、受信した光信号の波長数と同じ回数、すなわち本実施例では３回だけ、全波長の光信号を同一のレベルで点滅させる。その結果、光伝送装置Ａ３１は、受信した光信号の点滅回数を認識し、受信した光信号の点滅回数が、自装置が送信した光信号の波長数に一致せず、かつ前回よりも波長数が増えたことを認識する。前回よりも波長数が増えたことにより、光伝送装置Ａ３１は、今回設定したオフセットの方向が正しいと判断する。
【０１３４】
次いで、図１６において、符号１３７で示すように、光伝送装置Ａ３１は、正しい方向、例えば長波長側に前回よりも大きなオフセットを設定してテストパケットの光信号を送信する。その結果、光伝送装置Ｄ３４のダイナミックレンジ１２５内に納まる波長数が増え、例えば４つの波長の光信号が光伝送装置Ｄ３４のダイナミックレンジ１２５内に納まるとする。この場合、光伝送装置Ｄ３４は、４つの波長の光信号の受信を認識する。
【０１３５】
次いで、図１６において、符号１３８で示すように、光伝送装置Ｄ３４は、受信した光信号の波長数と同じ回数、すなわち本実施例では４回だけ、全波長の光信号を同一のレベルで点滅させる。その結果、光伝送装置Ａ３１は、受信した光信号の点滅回数を認識し、受信した光信号の点滅回数が、自装置が送信した光信号の波長数に一致することを認識する。そして、光伝送装置Ａ３１は、テストパケットの送信を停止する。
【０１３６】
ここまでで、光伝送装置Ａ３１から光伝送装置Ｄ３４への光信号の送信に関しては、波長間のチルトが発生しているものの、光伝送装置Ｄ３４のダイナミックレンジ内に全ての波長の光信号のレベルが入っている。そのため、光伝送装置Ａ３１から光伝送装置Ｄ３４へは、パケット信号を認識することができる状態となり、オフセットの暫定値が決まる。
【０１３７】
続いて、図１５及び図１６に示す手順と同様にして、光伝送装置Ｄ３４から送信される全波長の光信号のレベルが、光伝送装置Ａ３１のダイナミックレンジ内に入るように、光伝送装置Ｄ３４におけるオフセットを調節する。それによって、光伝送装置Ｄ３４から光伝送装置Ａ３１への光信号の送信に関しても、波長間のチルトが発生するものの、パケット信号を認識することができる状態となり、オフセットの暫定値が決まる。
【０１３８】
次いで、図１７において、符号１３９で示すように、光伝送装置Ａ３１は、オフセットを暫定値に設定してテストパケットの光信号を送信する。光伝送装置Ａ３１から送信された全ての波長の光信号が光伝送装置Ｄ３４のダイナミックレンジ内に納まっているため、光伝送装置Ｄ３４は全ての波長の光信号を受信する。光伝送装置Ｄ３４は、受信した光信号のレベルを波長ごとに測定する。
【０１３９】
次いで、図１７において、符号１４０で示すように、光伝送装置Ｄ３４は、各波長の光信号のレベルをテストパケットに書き込み、テストパケットを各波長の光信号にして光伝送装置Ａ３１へ送信する。光伝送装置Ａ３１は、各波長の光信号を受信して元のテストパケットを組み立て、そのテストパケットから各波長の光信号のレベルを抽出して光伝送装置Ｄ３４における減衰量を算出する。
【０１４０】
次いで、図１７において、符号１４１で示すように、光伝送装置Ａ３１は、各波長の光信号の減衰量に基づいてオフセットを算出する。そして、光伝送装置Ａ３１は、テストパケットを各波長の光信号にし、算出したオフセット１２３をかけて各波長の光信号を光伝送装置Ｄ３４へ送信する。各波長の光信号にかけられたオフセットは、光伝送装置Ｂ３２及び光伝送装置Ｃ３３の各中継点での線形アンプや伝送線路によって発生するチルトによって相殺される。それによって、光伝送装置Ｄ３４における波長間のレベルのばらつき１２４が減少する。光伝送装置Ｄ３４は、受信した光信号のレベルを波長ごとに測定する。
【０１４１】
次いで、図１７において、符号１４２で示すように、光伝送装置Ｄ３４は、各波長の光信号のレベルをテストパケットに書き込み、テストパケットを各波長の光信号にして光伝送装置Ａ３１へ送信する。光伝送装置Ａ３１は、各波長の光信号を受信して元のテストパケットを組み立て、そのテストパケットから各波長の光信号のレベルを抽出して光伝送装置Ｄ３４におけるチルト量を算出する。算出したチルト量が目標値以下であれば、光伝送装置Ａ３１はチルトに関するオフセットの調節処理を終了する。算出したチルト量が目標値を超える場合には、光伝送装置Ａ３１は、各波長の光信号の減衰量に基づいてオフセットを算出し、算出したオフセットをかけて各波長の光信号を光伝送装置Ｄ３４へ送信し、オフセットの再調整を行う。
【０１４２】
ここまでで、光伝送装置Ａ３１から光伝送装置Ｄ３４へ送信される光信号に発生するチルトを相殺するオフセット値の設定が終了となる。続いて、光伝送装置Ｄ３４から光伝送装置Ａ３１へ送信される光信号についても、図１７に示す手順と同様にしてオフセット値を設定する。
【０１４３】
図９に示す光伝送装置、及び図９に示す光伝送装置を有する光伝送システム、または図１１〜図１７に示す光伝送方法によれば、送信側光伝送装置は、受信側光伝送装置で受信可能な光信号の数が、受信側光伝送装置から送信される光の点滅回数によって通知される。送信側光伝送装置は、通知された光の点滅回数と自装置が送信した光信号の波長数とが一致するまで、光信号の送信、光の点滅回数の受信及びオフセットの調節を繰り返すことによって、送信側光伝送装置が送信する全ての波長の光信号を受信側光伝送装置で受信できるようなオフセットを求めることができる。従って、送信側光伝送装置が送信する全ての波長の光信号を受信側光伝送装置が受信することができるように、送信側光伝送装置においてチルト補正を行うことができる。
【０１４４】
・光伝送装置の第３の例
図１８は、実施の形態にかかる光伝送装置の第３の例を示す図である。光伝送装置の第３の例は、チルトに関するオフセットの調節時に、受信した光信号の波長数を受信レベルの情報を用いて通知するようにしたものである。
【０１４５】
図１８に示す光伝送装置は、図５に示す光伝送システムにおける各光伝送装置３１〜３６の一例であってもよい。本実施例では、図１８に示す光伝送装置が図５に示す光伝送システムにおける光伝送装置Ａ３１であるとして説明する。光伝送装置３２〜３６については、光伝送装置Ａ３１と同様であるため、説明を省略する。チルトに関するオフセットの調節を行う保守モードにおいて、各光伝送装置３１〜３６は送信側光伝送装置にもなり得るし、受信側光伝送装置にもなり得る。
【０１４６】
図１８に示すように、光伝送装置Ａ３１は、挿入部５１、抽出部５２、確認部５３、分解部５４、組立部５５、テーブル５６、チルト制御部５７、書込部５８、判断部６０、アンプ制御部６１、ＡＤＣ６３及びフレーム部９１を有する。光伝送装置Ａ３１は、光変調器６４〜６７、アンプ６８〜７１、ＰＤ７２〜７５、光スイッチ７６、多重分離部７７及び増幅部７８を有する。光変調器６４〜６７は、それぞれＥ／Ｏコンバータ７９〜８２及びＯ／Ｅコンバータ８３〜８６を有する。多重分離部７７は多重部８７及び分離部８８を有する。増幅部７８はポストアンプ８９及びプリアンプ９０を有する。
【０１４７】
確認部５３、分解部５４、テーブル５６、チルト制御部５７、書込部５８、アンプ制御部６１及びＯ／Ｅコンバータ８３〜８６については、上述した光伝送装置の第２の例におけるそれぞれの構成部と同様である。従って、重複する説明を省略する。
【０１４８】
フレーム部９１は判断部６０に接続されている。受信側装置の場合、フレーム部９１は、判断部６０から送られてくる各波長のレベルの情報をフレーム化する。各波長のレベルの情報が書き込まれたフレームの一例を図１９に示す。
【０１４９】
挿入部５１はフレーム部９１に接続されている。送信側装置の場合、挿入部５１はテストパケットを連続して確認部５３へ出力する。受信側装置の場合、挿入部５１は、フレーム部９１から送られてくるフレーム化されたデータを含むテストパケットを確認部５３へ出力する。
【０１５０】
Ｅ／Ｏコンバータ７９〜８２は分解部５４に接続されている。Ｅ／Ｏコンバータ７９〜８２は、分解部５４から出力されるデータを光信号に変換する。
【０１５１】
アンプ６８〜７１はＥ／Ｏコンバータ７９〜８２及びアンプ制御部６１に接続されている。アンプ６８〜７１は、アンプ制御部６１によって制御されて、Ｅ／Ｏコンバータ７９〜８２から出力される光信号を増幅する。
【０１５２】
光スイッチ７６はアンプ６８〜７１及び多重分離部７７の分離部８８に接続されている。光スイッチ７６は、アンプ６８〜７１から出力される光信号を、パケットの宛先に従って送信先及び伝送経路を設定して、多重分離部７７の多重部８７へ出力する。光スイッチ７６は、分離部８８から出力される光信号を、波長に応じてＰＤ７２〜７５及び光変調器６４〜６７のＯ／Ｅコンバータ８３〜８６へ出力する。
【０１５３】
多重部８７は光スイッチ７６に接続されている。多重部８７は、光スイッチ７６から出力される波長の異なる光信号を多重して増幅部７８のポストアンプ８９へ出力する。
【０１５４】
ポストアンプ８９は多重部８７及び図示しないＷＤＭリングネットワーク３８に接続されている。ポストアンプ８９は、多重部８７から出力される光信号を増幅してＷＤＭリングネットワーク３８へ出力する。
【０１５５】
プリアンプ９０は図示しないＷＤＭリングネットワーク３８に接続されている。プリアンプ９０は、ＷＤＭリングネットワーク３８から入力される光信号を受信し、増幅して多重分離部７７の分離部８８へ出力する。
【０１５６】
分離部８８はプリアンプ９０に接続されている。分離部８８は、プリアンプ９０から出力される光信号を波長ごとの光信号に分離して光スイッチ７６へ出力する。
【０１５７】
ＰＤ７２〜７５は光スイッチ７６に接続されている。ＰＤ７２〜７５は、光スイッチ７６から出力される光信号のレベルを波長ごとに測定し、光信号のレベルに応じた電気信号に変換してＡＤＣ６３へ出力する。
【０１５８】
ＡＤＣ６３はＰＤ７２〜７５に接続されている。ＡＤＣ６３は、ＰＤ７２〜７５から出力されるアナログ信号をデジタル信号に変換して判断部６０へ出力する。
【０１５９】
組立部５５はＯ／Ｅコンバータ８３〜８６及び図示しないクライアント端末に接続されている。通常の動作モードにおいて、組立部５５は、Ｏ／Ｅコンバータ８３〜８６から出力される電気信号をパケットに組み立ててクライアント端末へ出力する。
【０１６０】
抽出部５２はＯ／Ｅコンバータ８３〜８６に接続されている。抽出部５２は、Ｏ／Ｅコンバータ８３〜８６から出力されるテストパケットに含まれるデータフレームの同期を取り、データの正常性を例えばＣＲＣ（Ｃｙｃｌｉｃ  Ｒｅｄｕｎｄａｎｃｙ  Ｃｈｅｃｋ、巡回冗長検査）で確認し、各波長のレベル情報を含むデータを判断部６０へ送信する。
【０１６１】
判断部６０はチルト制御部５７、抽出部５２及びＡＤＣ６３に接続されている。送信側装置の場合、判断部６０は、抽出部５２から送られてくる各波長のレベル情報を含むデータに基づいて、受信側光伝送装置において受信可能な波長数と、自装置が送信する光信号の波長数とを比較する。比較の結果、受信側光伝送装置の受信可能な波長数と自装置の送信波長数とが一致しない場合で、チルトに関するオフセットの調節を行う保守モードに遷移してから最初の比較である場合には、判断部６０は、抽出部５２から送られてくる各波長のレベル情報を含むデータに基づいてチルトの傾き方向を判断する。そして、判断部６０は、チルト制御部５７に対して、チルトの傾き方向と逆方向の傾きのオフセットを与えるオフセット変更指示を出力する。
【０１６２】
受信側光伝送装置の受信可能な波長数と自装置の送信波長数とが一致しない場合で、チルトに関するオフセットの調節を行う保守モードに遷移してから２回目以降の比較である場合、判断部６０は、その時点のオフセットの情報をチルト制御部５７から取得する。そして、判断部６０は、各波長のレベル情報を含むデータに基づいて、チルト制御部５７に対してオフセットを、受信側光伝送装置の受信可能な波長数が増えるように変更させるオフセット変更指示を出力する。
【０１６３】
受信側光伝送装置の受信可能な波長数と自装置の送信波長数とが一致する場合、判断部６０は、各波長のレベル情報を含むデータに基づいて、チルト制御部５７に対してオフセットを、波長間のレベルのばらつきが小さくなるように変更させるオフセット変更指示を出力する。波長間のレベルのばらつきが目標値以下になると、判断部６０は、書込部５８に対して書き込み指示を出力する。目標値は判断部６０に予め設定されている。
【０１６４】
受信側装置の場合、判断部６０は、ＰＤ７２〜７５によって測定された波長ごとの光信号のレベルをＡＤＣ６３から受け取り、フレーム部９１へ出力する。
【０１６５】
光伝送装置Ａ３１が送信側光伝送装置となる場合の構成において、抽出部５２、チルト制御部５７、判断部６０、アンプ制御部６１及び光変調器６４〜６７のＯ／Ｅコンバータ８３〜８６はオフセット部に含まれてもよい。挿入部５１、確認部５３、分解部５４、光変調器６４〜６７のＥ／Ｏコンバータ７９〜８２、アンプ６８〜７１、光スイッチ７６、多重分離部７７の多重部８７及び増幅部７８のポストアンプ８９は送信部に含まれてもよい。
【０１６６】
光伝送装置Ａ３１が受信側光伝送装置となる場合の構成において、増幅部７８のプリアンプ９０、多重分離部７７の分離部８８、ＰＤ７２〜７５及び光変調器６４〜６７のＯ／Ｅコンバータ８３〜８６は受信部に含まれてもよい。ＰＤ７２〜７５、ＡＤＣ６３及び判断部６０は測定部に含まれてもよい。フレーム部９１、挿入部５１、判断部６０、光変調器６４〜６７のＥ／Ｏコンバータ７９〜８２、アンプ６８〜７１、光スイッチ７６、多重分離部７７の多重部８７及び増幅部７８のポストアンプ８９は通知部に含まれてもよい。
【０１６７】
光伝送装置の第３の例において、フレーム部９１はＦＰＧＡなどのプログラマブルロジックデバイスやＡＳＩＣによって実現されてもよい。テーブル５６、判断部６０、チルト制御部５７、書込部５８、アンプ制御部６１、挿入部５１、抽出部５２、分解部５４及び組立部５５を実現するハードウェア構成については、上述した光伝送装置の第２の例と同様であってもよい。
【０１６８】
・各波長のレベルの情報が書き込まれたフレームの一例
図１９は、各波長のレベルの情報が書き込まれたフレームの一例を示す図である。光伝送装置Ａ３１が受信側光伝送装置である場合、図１９に示すように、例えばフレーム１５１は、フレームヘッダ１５２に続いて、波長ごとに波長名称及び光レベル値を格納するフィールド１５３を有し、末尾に例えば１６ビットのＣＲＣコード１５４を有する。フレームヘッダ１５２には、フレームの同期を取るための情報が格納される。ＣＲＣコード１５４は、フレームの正常性を確認するために用いられる。
【０１６９】
図１９において、波長名称及び光レベル値を格納するフィールド１５３の上段は波長及びレベルを表し、下段はＡＳＣＩＩコードにより実際に格納されたイメージを表す。例えば図１９に示す例では、波長λ1のレベルは−１４．５ｄＢｍであり、波長λ2のレベルは−２０．０ｄＢｍであり、いずれも受信側光伝送装置のダイナミックレンジ内である。波長λ3及び波長λ4のレベルは例えば−２６．０ｄＢｍとなっているが、例えば−２６．０ｄＢｍは受信側光伝送装置のダイナミックレンジの下限値であり、受信側光伝送装置でのレベルが下限値以下、すなわち受信側光伝送装置で受信できない場合に下限値が格納される。
【０１７０】
・送信側光伝送装置におけるチルトに関するオフセットの調節手順の第２の例
図２０は、実施の形態にかかる光伝送装置におけるチルトに関するオフセットの調節手順の第２の例を示す図であり、図１２は図２０の続きを示す図である。図２０に示すように、送信側光伝送装置においてチルトに関するオフセットの調節処理が開始されると、送信側光伝送装置は、まず上述したステップＳ１１と同様に、自装置の受信側がＬＯＳ（ロスオブシグナル）でないか否かを判断する（ステップＳ３１）。
【０１７１】
送信側光伝送装置の受信側がＬＯＳである場合（ステップＳ３１：Ｎｏ）、送信側光伝送装置は、ＬＯＳから復帰するのを待機する。あるいは、送信側光伝送装置は、エラーを発生させて処理を終了してもよい。送信側光伝送装置の受信側がＬＯＳでない場合（ステップＳ３１：Ｙｅｓ）、送信側光伝送装置は、上述したステップＳ１２及びステップＳ１３と同様に、オフセットを初期値に設定して（ステップＳ３２）、テストパケットをＷＤＭリングネットワーク３８へ送信する（ステップＳ３３）。初期値はゼロであってもよい。
【０１７２】
しかる後、送信側光伝送装置は、自装置の受信側でＷＤＭリングネットワーク３８から光信号を受信したか否かを判断する（ステップＳ３４）。光信号を受信している場合（ステップＳ３４：Ｙｅｓ）、ステップＳ３６へ進む。光信号を受信していない場合（ステップＳ３４：Ｎｏ）、送信側光伝送装置は、光信号の受信を待ち、上述したステップＳ１５と同様に、待機状態の経過時間がタイムアウト設定時間を超えたら（ステップＳ３５：Ｙｅｓ）、エラーを発生させて処理を終了してもよい。
【０１７３】
待機状態の経過時間がタイムアウト設定時間に達する前に（ステップＳ３５：Ｎｏ）、送信側光伝送装置の受信側で光信号を受信すると（ステップＳ３４：Ｙｅｓ）、光信号は、プリアンプ９０によって増幅され、分離部８８によって波長ごとの光信号に分離される。波長ごとに分離された光信号は、例えば図１９に示すフレームのデータを有し、このデータには、送信側光伝送装置から送信された光信号を受信側光伝送装置が受信したときのレベルの情報が波長ごとに含まれている。波長ごとに分離された光信号は、光スイッチ７６によって対応する波長のＯ／Ｅコンバータ８３〜８６へ送られる。
【０１７４】
ステップＳ３１で確認したように、送信側光伝送装置の受信側がＬＯＳでないため、少なくとも１波長の光信号のレベルはＯ／Ｅコンバータ８３〜８６のダイナミックレンジ内に入る。従って、少なくとも１波長の光信号は、Ｏ／Ｅコンバータ８３〜８６によって受信され、電気信号に変換される。送信側光伝送装置は、抽出部５２によって、Ｏ／Ｅコンバータ８３〜８６から出力された信号に基づいて、フレームの同期を取り、例えばＣＲＣコードを用いてデータの正常性を確認し、受信側光伝送装置における波長ごとのレベルのデータを取得する。つまり、送信側光伝送装置は、受信側光伝送装置における波長ごとの受信レベルを取得する（ステップＳ３６）。
【０１７５】
次いで、送信側光伝送装置は、判断部６０によって、受信側光伝送装置における波長ごとの受信レベルに基づいて、受信側光伝送装置において受信可能な波長数を認識し、受信側光伝送装置の受信可能な波長数と、自装置が送信する光信号の波長数とが一致するか否かを判断する（ステップＳ３７）。受信側光伝送装置の受信可能な波長数と自装置の送信波長数とが一致する場合（ステップＳ３７：Ｙｅｓ）、ステップＳ３９へ進む。
【０１７６】
受信側光伝送装置の受信可能な波長数と自装置の送信波長数とが一致しない場合（ステップＳ３７：Ｎｏ）、送信側光伝送装置は、判断部６０によって、チルト制御部５７に対して、オフセットの傾きを大きくするように指示する。ただし、チルトに関するオフセットの調節処理を開始した直後は、オフセットが初期値に設定されており、オフセットの傾きを大きくする方向で合っているか否か不明である。そのため、受信側光伝送装置の受信可能な波長数と自装置の送信波長数との１回目の比較において一致しない場合には、判断部６０は、受信側光伝送装置における波長ごとの受信レベルに基づいて受信側光伝送装置における波長間のチルトの傾き方向を判断する。そして、判断部６０は、チルト制御部５７に対して、チルトの傾き方向と逆方向の傾きのオフセットを与えるように指示する。
【０１７７】
チルト制御部５７は、チルトの傾き方向と逆方向の傾きのオフセットをアンプ制御部６１に通知し、それによってアンプ制御部６１においてオフセットがチルトの傾き方向と逆方向の傾きとなるように設定される。そして、送信側光伝送装置は、設定したオフセットをかけた状態でテストパケットをＷＤＭリングネットワーク３８へ送信する（ステップＳ３３）。送信側光伝送装置は、このパケットの送信に対してステップＳ３４〜ステップＳ３７の処理を行う。受信側光伝送装置の受信可能な波長数と自装置の送信波長数とが一致する場合（ステップＳ３７：Ｙｅｓ）、ステップＳ３９へ進む。
【０１７８】
２回目以降の比較において受信側光伝送装置の受信可能な波長数と自装置の送信波長数とが一致しない場合（ステップＳ３７：Ｎｏ）、送信側光伝送装置は、判断部６０によって、チルト制御部５７に対して、オフセットの傾きを大きくするように指示する。
【０１７９】
チルト制御部５７は、傾きが大きくなるように変更したオフセットをアンプ制御部６１に通知し、それによってアンプ制御部６１において、傾きが大きくなるように変更されたオフセットが設定される（ステップＳ３８）。そして、送信側光伝送装置は、傾きを大きくされたオフセットをかけた状態でテストパケットをＷＤＭリングネットワーク３８へ送信する（ステップＳ３３）。
【０１８０】
送信側光伝送装置は、ステップＳ３７において受信側光伝送装置の受信可能な波長数と自装置の送信波長数とが一致するまで、ステップＳ３８において設定されたオフセットをかけたテストパケットの送信に対して、ステップＳ３４〜ステップＳ３８の処理を繰り返す。ステップＳ３７において受信側光伝送装置の受信可能な波長数と自装置の送信波長数とが一致すると、送信側光伝送装置は、判断部６０によって、自装置から送信した全ての波長の光信号が受信側光伝送装置に到達したことを認識し、オフセットが大まかに合っていると判断する（ステップＳ３９）。
【０１８１】
送信側光伝送装置は、受信側光伝送装置の受信可能な波長数と自装置の送信波長数とが一致したときのオフセットを暫定値としてメモリに保持しておく。送信側光伝送装置は、書込部５８によって、受信側光伝送装置の受信可能な波長数と自装置の送信波長数とが一致したときのオフセットを暫定値としてテーブル５６に書き込んでもよい。本実施例では、テーブル５６に書き込むとして説明する。チルトに関するオフセットの調節処理を開始した後、初めて受信側光伝送装置の受信可能な波長数と自装置の送信波長数との比較を行った結果、受信側光伝送装置の受信可能な波長数と自装置の送信波長数とが一致した場合には、オフセットの初期値が暫定値となる。
【０１８２】
ここまでで、受信側光伝送装置は、送信側光伝送装置から送信した全ての波長の光信号を受信することができるため、送信側光伝送装置から受信側光伝送装置へのパケット通信が可能となる。続いて、受信側光伝送装置から送信側光伝送装置へのパケット通信を可能とするため、今まで送信側光伝送装置としていた光伝送装置を受信側光伝送装置とし、今まで受信側光伝送装置としていた光伝送装置を送信側光伝送装置として、送信側光伝送装置とした光伝送装置において上述したステップＳ３１〜ステップＳ３９の処理を行う。そして、双方向で波長の欠落がなく、パケット通信が可能な状態となったら、図１２に示す処理へ進む。図１２に示す処理については、上述した通りであるため、重複する説明を省略する。
【０１８３】
・受信側光伝送装置におけるチルトに関するオフセット調節時の動作の一例
送信側光伝送装置が上述したステップＳ３１〜ステップＳ３９の処理を行う場合における受信側光伝送装置の動作の一例を説明する。なお、受信側光伝送装置の構成は送信側光伝送装置の構成と同様であり、例えば図１８に示す光伝送装置Ａ３１と同様の構成となる。従って、受信側光伝送装置の動作の説明においても、各部の名称に図１８に付した符号を付す。
【０１８４】
図２０のステップＳ３３において送信側光伝送装置が、テストパケットを分解してできたデータを割り当てた光信号をＷＤＭリングネットワーク３８へ送信すると、受信側光伝送装置はＷＤＭリングネットワーク３８から光信号を受信する。受信側光伝送装置は、受信した光信号をプリアンプ９０によって増幅し、分離部８８によって波長ごとの光信号に分離する。波長ごとに分離された光信号は、光スイッチ７６によって対応する波長のＰＤ７２〜７５へ送られる。
【０１８５】
ＰＤ７２〜７５は、光信号のレベルを波長ごとに測定し、光信号のレベルに応じた電気信号を出力する。ＰＤ７２〜７５から出力された電気信号は、ＡＤＣ６３によってデジタル信号に変換され、判断部６０を経由して、フレーム部９１によって例えば図１９に示すようなフレームのデータにされる。このデータには、各波長のレベルの情報が書き込まれる。
【０１８６】
受信側光伝送装置において、挿入部５１は、フレーム部９１によってフレーム化されたデータを含むテストパケットを確認部５３へ出力する。確認部５３は、挿入部５１から出力されたテストパケットの送付先を確認し、テストパケットの送付先の情報をテーブル５６へ通知し、テストパケットを分解部５４へ出力する。この時点では、チルトに関するオフセットの調節処理を開始した直後であり、テーブル５６にはオフセットが書き込まれていない。そのため、テーブル５６は、予め設定されている初期値をアンプ制御部６１へ通知する。
【０１８７】
分解部５４は、確認部５３から出力されたテストパケットをＥ／Ｏコンバータ７９〜８２へ出力する。Ｅ／Ｏコンバータ７９〜８２には、同じデータを有するテストパケットが送られる。テストパケットは、Ｅ／Ｏコンバータ７９〜８２によって光信号に変換され、アンプ制御部６１によってオフセットの初期値がかかるように制御されたアンプ６８〜７１によって増幅され、光スイッチ７６、多重部８７及びポストアンプ８９を経てＷＤＭリングネットワーク３８へ出力される。受信側光伝送装置からＷＤＭリングネットワーク３８へ出力された、各波長のレベルの情報が書き込まれたテストパケットは、図２０のステップＳ３４において送信側光伝送装置によって受信される。
【０１８８】
図１２のステップＳ２２における送信側光伝送装置のテストパケットの送信に対する受信側光伝送装置の動作については、チルトに関するオフセットの調節手順の第１の例において説明した通りである。従って、重複する説明を省略する。
【０１８９】
・チルトに関するオフセットの調節手順の第３の具体例
図２１は、チルトに関するオフセットの調節手順の第３の具体例を示す図であり、図２２は図２１の続きを示す図であり、図１７は図２２の続きを示す図である。図２１、図２２及び図１７に示す例は、上述したチルトに関するオフセットの調節手順の第２の例の具体例である。本実施例では、光伝送装置Ａ３１と光伝送装置Ｄ３４との間でチルトに関するオフセットを調節する場合を例にして説明する。
【０１９０】
なお、図２１、図２２及び図１７においては、光伝送装置Ａ３１をＡ局と表し、光伝送装置Ｄ３４をＤ局と表している。光伝送装置Ｂ３２及び光伝送装置Ｃ３３は光中継装置として動作している。また、光伝送装置Ａ３１から出力された光信号は、光伝送装置Ｂ３２及び光伝送装置Ｃ３３で中継されて光伝送装置Ｄ３４に到達し、光伝送装置Ｄ３４から出力された光信号はその逆の経路で光伝送装置Ａ３１に到達するとする。光伝送装置Ａ３１及び光伝送装置Ｄ３４が送信する光信号の波長数は４であるとする。
【０１９１】
まず、図２１において、符号１６１で示すように、光伝送装置Ａ３１は、オフセットを初期値に設定してテストパケットの光信号を送信する。送信された光信号には、光伝送装置Ｂ３２及び光伝送装置Ｃ３３の各中継点での線形アンプや伝送線路の特性に起因する波長間のチルト１２１が発生する。それによって、光伝送装置Ａ３１から送信された光信号のうち、一部の波長の光信号が光伝送装置Ｄ３４のダイナミックレンジ内に納まるが、残りの波長の光信号は光伝送装置Ｄ３４のダイナミックレンジ内に納まらない。本実施例では、光伝送装置Ａ３１から送信された４つの波長の光信号のうち、２つの波長の光信号が光伝送装置Ｄ３４のダイナミックレンジ１２５内に納まるとする。従って、光伝送装置Ｄ３４は、２つの波長の光信号の受信を認識する。
【０１９２】
次いで、図２１において、符号１６２で示すように、光伝送装置Ｄ３４は、受信した光信号のレベルを、例えば図１９に示すようにフレーム化し、フレーム化したデータを全波長の光信号に割り当て、全波長の光信号を同一のレベルで送信する。送信された光信号には、光伝送装置Ｃ３３及び光伝送装置Ｂ３２の各中継点での線形アンプや伝送線路の特性に起因する波長間のチルト１２２が発生する。しかし、光伝送装置Ａ３１と光伝送装置Ｄ３４との間がＬＯＬやＬＯＳの状態ではないため、少なくとも１つの波長の光信号のレベルは光伝送装置Ａ３１のダイナミックレンジ内に納まる。従って、光伝送装置Ａ３１は、受信した光信号に含まれる受信側光伝送装置における波長ごとの受信レベルに基づいて、受信側光伝送装置の受信可能な波長数を認識し、受信側光伝送装置の受信可能な波長数が、自装置が送信した光信号の波長数に一致しないと判断する。
【０１９３】
次いで、図２１において、符号１６３で示すように、光伝送装置Ａ３１は、受信側光伝送装置における波長ごとの受信レベルに基づいて、受信側光伝送装置における波長間のチルトの傾き方向を求め、チルトの傾き方向と逆方向の傾きのオフセットを設定してテストパケットの光信号を送信する。その結果、光伝送装置Ｄ３４のダイナミックレンジ１２５内に納まる波長数が増え、例えば３つの波長の光信号が光伝送装置Ｄ３４のダイナミックレンジ１２５内に納まるとする。この場合、光伝送装置Ｄ３４は、３つの波長の光信号の受信を認識する。図２１において符号１６３で示す例では、長波長側にオフセットが設定されている。
【０１９４】
次いで、図２２において、符号１６４で示すように、光伝送装置Ｄ３４は、受信した光信号のレベルを、例えば図１９に示すようにフレーム化し、フレーム化したデータを全波長の光信号に割り当て、全波長の光信号を同一のレベルで送信する。光伝送装置Ａ３１は、少なくとも１つの波長の光信号を受信し、受信した光信号に含まれる受信側光伝送装置における波長ごとの受信レベルに基づいて、受信側光伝送装置の受信可能な波長数を認識する。そして、光伝送装置Ａ３１は、受信側光伝送装置の受信可能な波長数が、自装置が送信した光信号の波長数に一致しないと判断するが、受信側光伝送装置の受信可能な波長数が前回よりも増えているため、オフセットの方向が正しいことを確認することができる。
【０１９５】
次いで、図２２において、符号１６５で示すように、光伝送装置Ａ３１は、前回よりも大きなオフセットを設定してテストパケットの光信号を送信する。その結果、光伝送装置Ｄ３４のダイナミックレンジ１２５内に納まる波長数が増え、例えば４つの波長の光信号が光伝送装置Ｄ３４のダイナミックレンジ１２５内に納まるとする。この場合、光伝送装置Ｄ３４は、４つの波長の光信号の受信を認識する。
【０１９６】
次いで、図２２において、符号１６６で示すように、光伝送装置Ｄ３４は、受信した光信号のレベルを、例えば図１９に示すようにフレーム化し、フレーム化したデータを全波長の光信号に割り当て、全波長の光信号を同一のレベルで送信する。光伝送装置Ａ３１は、少なくとも１つの波長の光信号を受信し、受信した光信号に含まれる受信側光伝送装置における波長ごとの受信レベルに基づいて、受信側光伝送装置の受信可能な波長数を認識する。そして、光伝送装置Ａ３１は、受信側光伝送装置の受信可能な波長数が、自装置が送信した光信号の波長数に一致することを認識する。そして、光伝送装置Ａ３１は、テストパケットの送信を停止する。
【０１９７】
ここまでで、光伝送装置Ａ３１から光伝送装置Ｄ３４への光信号の送信に関しては、波長間のチルトが発生しているものの、光伝送装置Ｄ３４のダイナミックレンジ内に全ての波長の光信号のレベルが入っている。そのため、光伝送装置Ａ３１から光伝送装置Ｄ３４へは、パケット信号を認識することができる状態となり、オフセットの暫定値が決まる。
【０１９８】
続いて、図２１及び図２２に示す手順と同様にして、光伝送装置Ｄ３４から送信される全波長の光信号のレベルが、光伝送装置Ａ３１のダイナミックレンジ内に入るように、光伝送装置Ｄ３４におけるオフセットを調節する。それによって、光伝送装置Ｄ３４から光伝送装置Ａ３１への光信号の送信に関しても、波長間のチルトが発生するものの、パケット信号を認識することができる状態となり、オフセットの暫定値が決まる。光伝送装置Ａ３１と光伝送装置Ｄ３４との間で互いにパケット信号を認識することができる状態となったら、光伝送装置Ａ３１及び光伝送装置Ｄ３４の両方において、図１７に示す処理を行う。図１７に示す処理については、上述した通りであるため、重複する説明を省略する。
【０１９９】
図１８に示す光伝送装置、及び図１８に示す光伝送装置を有する光伝送システム、または図２０〜図２２に示す光伝送方法によれば、送信側光伝送装置は、受信側光伝送装置における波長ごとの受信レベルに基づいて、受信側光伝送装置における波長間のチルトの傾き方向を求めることができる。そして、送信側光伝送装置は、チルトの傾き方向と逆方向の傾きになるようにオフセットの傾き方向を求め、オフセットの傾きを大きくしながら光信号の送信を繰り返すことによって、送信側光伝送装置が送信する全ての波長の光信号を受信側光伝送装置で受信できるようなオフセットを求めることができる。従って、送信側光伝送装置が送信する全ての波長の光信号を受信側光伝送装置が受信することができるように、送信側光伝送装置においてチルト補正を行うことができる。
【０２００】
・マルチキャストに対するオフセットの設定
例えば図５に示す光伝送システムにおいて、例えば上述したチルトに関するオフセットの調節手順の第１の例または第２の例のようにして、光伝送装置Ａ３１から光伝送装置Ｂ３２へ宛てて送信される光信号にかけるオフセットの調節が終了する。同様にして、光伝送装置Ｂ３２から光伝送装置Ｃ３３宛、光伝送装置Ｃ３３から光伝送装置Ｄ３４宛、光伝送装置Ｄ３４から光伝送装置Ｅ３５宛、光伝送装置Ｅ３５から光伝送装置Ｆ３６宛、光伝送装置Ｆ３６から光伝送装置Ａ３１宛の各オフセットの調節が終了する。
【０２０１】
その後、監視用端末３７は、光伝送装置Ａ３１から光伝送装置Ｂ３２へ宛てて送信される光信号にかけるオフセットの情報を搭載したパケットの光信号を、オフセットをかけて送信させる。同様に、光伝送装置Ｂ３２は、光伝送装置Ｃ３３へ、光伝送装置Ａ３１から受信したオフセットの情報と、光伝送装置Ｂ３２から光伝送装置Ｃ３３へ宛てて送信される光信号にかけるオフセットの情報と、を搭載したパケットの光信号を、オフセットをかけて送信する。同様にして、光伝送装置Ｂ３２から光伝送装置Ｃ３３へ、光伝送装置Ｃ３３から光伝送装置Ｄ３４へ、光伝送装置Ｄ３４から光伝送装置Ｅ３５へ、光伝送装置Ｅ３５から光伝送装置Ｆ３６へ、光伝送装置Ｆ３６から光伝送装置Ａ３１へ、順次、オフセットの情報を送信する。
【０２０２】
それによって、光伝送装置Ａ３１に、ＷＤＭリングネットワーク３８の各ノードにおけるオフセットの情報が集約される。光伝送装置Ａ３１は、集約されたオフセットの情報に基づいて、パケットをマルチキャストする場合のオフセットを算出する。そして、光伝送装置Ａ３１は、算出したマルチキャスト用のオフセットを他の光伝送装置３２〜３６へ送信する。それによって、全ての光伝送装置３１〜３６が、パケットをマルチキャストする場合のオフセットを設定することができる。
【０２０３】
上述した各実施例を含む実施形態に関し、さらに以下の付記を開示する。
【０２０４】
（付記１）所定の数の異なる波長の光信号を送信する送信部と、前記送信部から送信される前記光信号にチルトに関する所定のオフセットをかけるオフセット部と、を有する送信側光伝送装置と、前記送信部から送信された前記光信号を受信する受信部と、前記受信部で受信可能な前記光信号の数を測定する測定部と、前記測定部で測定された前記光信号の数を通知する通知部と、を有する受信側光伝送装置と、を備え、前記オフセット部は、前記通知部から通知された前記光信号の数が増えたら前記オフセットを大きくする方向に調節し、前記通知部から通知された前記光信号の数が減ったら前記オフセットを小さくする方向に調節することを特徴とする光伝送システム。
【０２０５】
（付記２）前記オフセット部は、前記送信部から送信された前記光信号の数と前記通知部から通知された前記光信号の数とが一致するまで前記オフセットを調節することを特徴とする付記１に記載の光伝送システム。
【０２０６】
（付記３）前記通知部は、前記測定部で測定された前記光信号の数を光の点滅によって通知することを特徴とする付記１または２に記載の光伝送システム。
【０２０７】
（付記４）前記通知部は、前記測定部で測定された前記光信号の数を、前記受信部で受信された前記光信号の受信レベルを用いて通知することを特徴とする付記１または２に記載の光伝送システム。
【０２０８】
（付記５）前記オフセット部は、前記通知部から通知された前記受信レベルに基づいてチルトの傾き方向を判断し、前記チルトの傾き方向に基づいて前記オフセットを調節することを特徴とする付記４に記載の光伝送システム。
【０２０９】
（付記６）所定の数の異なる波長の光信号を送信する送信部と、前記送信部から送信される前記光信号にチルトに関する所定のオフセットをかけるオフセット部と、を備え、前記オフセット部は、前記送信部から送信された前記光信号に対して、受信側で受信可能な前記光信号の数が増えたら前記オフセットを大きくする方向に調節し、受信側で受信可能な前記光信号の数が減ったら前記オフセットを小さくする方向に調節することを特徴とする光伝送装置。
【０２１０】
（付記７）前記オフセット部は、前記送信部から送信された前記光信号の数と受信側で受信可能な前記光信号の数とが一致するまで前記オフセットを調節することを特徴とする付記６に記載の光伝送装置。
【０２１１】
（付記８）送信側光伝送装置は、チルトに関する所定のオフセットをかけて所定の数の異なる波長の光信号を送信し、受信側光伝送装置は、前記光信号を受信し、受信可能な前記光信号の数を測定し、測定した前記光信号の数を前記送信側光伝送装置へ通知し、前記送信側光伝送装置は、通知された前記光信号の数が増えたら前記オフセットを大きくする方向に調節し、通知された前記光信号の数が減ったら前記オフセットを小さくする方向に調節することを特徴とする光伝送方法。
【符号の説明】
【０２１２】
１  送信側光伝送装置
２  受信側光伝送装置
３  光伝送路
１１  送信部
１２  オフセット部
１６  受信部
１７  測定部
１８  通知部
【図１】
2014236448.tif 000003
【図２】
2014236448.tif 000004
【図３】
2014236448.tif 000005
【図４】
2014236448.tif 000006
【図５】
2014236448.tif 000007
【図６】
2014236448.tif 000008
【図７】
2014236448.tif 000009
【図８】
2014236448.tif 000010
【図９】
2014236448.tif 000011
【図１０】
2014236448.tif 000012
【図１１】
2014236448.tif 000013
【図１２】
2014236448.tif 000014
【図１３】
2014236448.tif 000015
【図１４】
2014236448.tif 000016
【図１５】
2014236448.tif 000017
【図１６】
2014236448.tif 000018
【図１７】
2014236448.tif 000019
【図１８】
2014236448.tif 000020
【図１９】
2014236448.tif 000021
【図２０】
2014236448.tif 000022
【図２１】
2014236448.tif 000023
【図２２】
2014236448.tif 000024